(57)【要約】【課題】光を投射する必要のない場所に強い光が投射されることを防ぐと共に、人間への強い光の照射を防ぐ。【解決手段】  プロジェクタ１が画像を表示させるためにレーザー光を投射する、スクリーン３２に配置される安全カード４０１は、通信装置１４から送信されてきた信号を基に、安全カード４０１と通信装置１４との距離を算出し、プロジェクタ１に設けられる制御装置１３から送信されてきた信号を基に、安全カード１１と制御装置１３との距離を算出し、算出した２つの距離を基に安全カード４０１の位置を演算し、安全カード４０１の位置を示す信号を制御装置１３に送信する。制御装置１３は、安全カード４０１からの信号を受信し、その信号に含まれる安全カード４０１の位置がスクリーン３２の方向にある場合、画像を表示させる光のスクリーン３２への投射を許可する。本発明はプロジェクタに適用することができる。【選択図】図１５
2006078971.tif 000002
【特許請求の範囲】
【請求項１】
所定の方向に光を投射して画像を表示させる表示装置、前記画像を表示させる表示領域に配置される少なくとも１つ以上の情報処理装置、および前記情報処理装置と無線通信を行う少なくとも１つ以上の通信装置からなる表示制御システムにおいて、
前記情報処理装置は、
前記通信装置から送信されてきた前記情報処理装置と前記通信装置との第１の距離を算出させるための第１の無線信号、および前記表示装置から送信されてきた前記情報処理装置と前記表示装置との第２の距離を算出させるための第２の無線信号を受信する第１の受信手段と、
前記第１の無線信号を基に前記第１の距離を算出し、前記第２の無線信号を基に前記第２の距離を算出する距離算出手段と、
前記第１の距離および前記第２の距離を基に、前記情報処理装置の平面上の位置を演算する位置演算手段と、
前記情報処理装置の平面上の前記位置を示す第３の無線信号を前記表示装置に送信する第１の送信手段と
を備え、
前記通信装置は、前記情報処理装置と前記通信装置との前記第１の距離を算出させるための前記第１の無線信号を前記情報処理装置あてに送信する第２の送信手段を備え、
前記表示装置は、
前記情報処理装置と前記表示装置との前記第２の距離を算出させるための前記第２の無線信号を前記情報処理装置あてに送信する第３の送信手段と、
前記情報処理装置から送信されてきた、前記情報処理装置の平面上の前記位置を示す前記第３の無線信号を受信する第２の受信手段と、
前記情報処理装置の平面上の前記位置が、光が投射される方向の許可領域内にある場合、前記画像を表示させる光の前記表示領域への投射を許可する投射許可手段と
を備える
ことを特徴とする表示制御システム。
【請求項２】
所定の方向に光を投射して画像を表示させる表示装置、前記画像を表示させる表示領域に配置される少なくとも１つ以上の情報処理装置、および前記情報処理装置と無線通信を行う少なくとも１つ以上の通信装置からなる表示制御システムの表示制御方法において、
前記通信装置は、前記情報処理装置と前記通信装置との第１の距離を算出させるための第１の無線信号を前記情報処理装置あてに送信し、
前記表示装置は、前記情報処理装置と前記表示装置との第２の距離を算出させるための第２の無線信号を前記情報処理装置あてに送信し、
前記情報処理装置は、
前記通信装置から送信されてきた前記情報処理装置と前記通信装置との前記第１の距離を算出させるための前記第１の無線信号を受信し、
前記表示装置から送信されてきた前記情報処理装置と前記表示装置との前記第２の距離を算出させるための前記第２の無線信号を受信し、
前記第１の無線信号を基に前記第１の距離を算出し、
前記第２の無線信号を基に前記第２の距離を算出し、
前記第１の距離および前記第２の距離を基に、前記情報処理装置の平面上の位置を演算し、
前記情報処理装置の平面上の前記位置を示す第３の無線信号を前記表示装置に送信し、
前記表示装置は、
前記情報処理装置から送信されてきた、前記情報処理装置の平面上の前記位置を示す前記第３の無線信号を受信し、
前記情報処理装置の平面上の前記位置が、光が投射される方向の許可領域内にある場合、前記画像を表示させる光の前記表示領域への投射を許可する
ことを特徴とする表示制御方法。
【請求項３】
画像を表示させる表示領域に配置される情報処理装置であって、所定の方向に光を投射して画像を表示させる表示装置と無線通信を行うとともに、所定の信号を送信する少なくとも１つ以上の通信装置と無線通信を行う情報処理装置において、
前記通信装置から送信されてきた自分と前記通信装置との第１の距離を算出させるための第１の無線信号、および前記表示装置から送信されてきた自分と前記表示装置との第２の距離を算出させるための第２の無線信号を受信する受信手段と、
前記第１の無線信号を基に前記第１の距離を算出し、前記第２の無線信号を基に前記第２の距離を算出する距離算出手段と、
前記第１の距離および前記第２の距離を基に、自分の平面上の位置を演算する位置演算手段と、
自分の平面上の前記位置を示す第３の無線信号を前記表示装置に送信する送信手段と
を含むことを特徴とする情報処理装置。
【請求項４】
前記送信手段は、自分を識別するための識別情報を含む前記第３の無線信号を前記表示装置に送信する
ことを特徴とする請求項３に記載の情報処理装置。
【請求項５】
画像を表示させる表示領域に配置される情報処理装置であって、所定の方向に光を投射して画像を表示させる表示装置と無線通信を行うとともに、所定の信号を送信する少なくとも１つ以上の通信装置と無線通信を行う情報処理装置の情報処理方法において、
前記通信装置から送信されてきた前記情報処理装置と前記通信装置との第１の距離を算出させるための第１の無線信号、および前記表示装置から送信されてきた前記情報処理装置と前記表示装置との第２の距離を算出させるための第２の無線信号を受信する受信ステップと、
前記第１の無線信号を基に前記第１の距離を算出し、前記第２の無線信号を基に前記第２の距離を算出する距離算出ステップと、
前記第１の距離および前記第２の距離を基に、前記情報処理装置の平面上の位置を演算する位置演算ステップと、
前記情報処理装置の平面上の前記位置を示す第３の無線信号を前記表示装置に送信する送信ステップと
を含むことを特徴とする情報処理方法。
【請求項６】
画像を表示させる表示領域に配置される情報処理装置であって、所定の方向に光を投射して画像を表示させる表示装置と無線通信を行うとともに、所定の信号を送信する少なくとも１つ以上の通信装置と無線通信を行う情報処理装置の情報処理用のプログラムにおいて、
前記通信装置から送信されてきた前記情報処理装置と前記通信装置との第１の距離を算出させるための第１の無線信号、および前記表示装置から送信されてきた前記情報処理装置と前記表示装置との第２の距離を算出させるための第２の無線信号の受信を制御する受信制御ステップと、
前記第１の無線信号を基に前記第１の距離を算出し、前記第２の無線信号を基に前記第２の距離を算出する距離算出ステップと、
前記第１の距離および前記第２の距離を基に、前記情報処理装置の平面上の位置を演算する位置演算ステップと、
前記情報処理装置の平面上の前記位置を示す第３の無線信号の前記表示装置への送信を制御する送信制御ステップと
を含むことを特徴とするコンピュータが読み取り可能なプログラムが記録されている記録媒体。
【請求項７】
画像を表示させる表示領域に配置される情報処理装置であって、所定の方向に光を投射して画像を表示させる表示装置と無線通信を行うとともに、所定の信号を送信する少なくとも１つ以上の通信装置と無線通信を行う情報処理装置を制御するコンピュータに、情報処理を行わせるプログラムにおいて、
前記通信装置から送信されてきた前記情報処理装置と前記通信装置との第１の距離を算出させるための第１の無線信号、および前記表示装置から送信されてきた前記情報処理装置と前記表示装置との第２の距離を算出させるための第２の無線信号の受信を制御する受信制御ステップと、
前記第１の無線信号を基に前記第１の距離を算出し、前記第２の無線信号を基に前記第２の距離を算出する距離算出ステップと、
前記第１の距離および前記第２の距離を基に、前記情報処理装置の平面上の位置を演算する位置演算ステップと、
前記情報処理装置の平面上の前記位置を示す第３の無線信号の前記表示装置への送信を制御する送信制御ステップと
を含むことを特徴とするプログラム。
【請求項８】
所定の方向に光を投射して画像を表示させる表示装置において、
前記画像を表示させる表示領域に配置される少なくとも１つ以上の情報処理装置であって、通信装置から送信されてくる前記情報処理装置と前記通信装置との第１の距離を算出させるための第１の無線信号を受信する前記情報処理装置あてに、前記情報処置装置と自分との第２の距離を算出させるための第２の無線信号を送信する送信手段と、
前記第１の距離および前記第２の距離を基に、前記情報処理装置の平面上の位置を算出した前記情報処理装置から送信されてくる前記情報処理装置の平面上の前記位置を示す第３の無線信号を受信する受信手段と、
前記情報処理装置の平面上の前記位置が、光が投射される方向の許可領域内にある場合、前記画像を表示させる光の前記表示領域への投射を許可する投射許可手段と
を含むことを特徴とする表示装置。
【請求項９】
レーザーである光を前記方向に投射して前記画像を表示させる
ことを特徴とする請求項８に記載の表示装置。
【請求項１０】
所定の方向に光を投射して画像を表示させる表示装置の表示方法において、
前記画像を表示させる表示領域に配置される少なくとも１つ以上の情報処理装置であって、通信装置から送信されてくる前記情報処理装置と前記通信装置との第１の距離を算出させるための第１の無線信号を受信する前記情報処理装置あてに、前記情報処置装置と前記表示装置との第２の距離を算出させるための第２の無線信号を送信する送信ステップと、
前記第１の距離および前記第２の距離を基に、前記情報処理装置の平面上の位置を算出した前記情報処理装置から送信されてくる前記情報処理装置の平面上の前記位置を示す第３の無線信号を受信する受信ステップと、
前記情報処理装置の平面上の前記位置が、光が投射される方向の許可領域内にある場合、前記画像を表示させる光の前記表示領域への投射を許可する投射許可ステップと
を含むことを特徴とする表示方法。
【請求項１１】
所定の方向に光を投射して画像を表示させる表示装置の表示処理用のプログラムにおいて、
前記画像を表示させる表示領域に配置される少なくとも１つ以上の情報処理装置であって、通信装置から送信されてくる前記情報処理装置と前記通信装置との第１の距離を算出させるための第１の無線信号を受信する前記情報処理装置への、前記情報処置装置と前記表示装置との第２の距離を算出させるための第２の無線信号の送信を制御する送信制御ステップと、
前記第１の距離および前記第２の距離を基に、前記情報処理装置の平面上の位置を算出した前記情報処理装置から送信されてくる前記情報処理装置の平面上の前記位置を示す第３の無線信号の受信を制御する受信制御ステップと、
前記情報処理装置の平面上の前記位置が、光が投射される方向の許可領域内にある場合、前記画像を表示させる光の前記表示領域への投射を許可する投射許可ステップと
を含むことを特徴とするコンピュータが読み取り可能なプログラムが記録されている記録媒体。
【請求項１２】
所定の方向に光を投射して画像を表示させる表示装置を制御するコンピュータに、表示処理を行わせるプログラムにおいて、
前記画像を表示させる表示領域に配置される少なくとも１つ以上の情報処理装置であって、通信装置から送信されてくる前記情報処理装置と前記通信装置との第１の距離を算出させるための第１の無線信号を受信する前記情報処理装置への、前記情報処置装置と前記表示装置との第２の距離を算出させるための第２の無線信号の送信を制御する送信制御ステップと、
前記第１の距離および前記第２の距離を基に、前記情報処理装置の平面上の位置を算出した前記情報処理装置から送信されてくる前記情報処理装置の平面上の前記位置を示す第３の無線信号の受信を制御する受信制御ステップと、
前記情報処理装置の平面上の前記位置が、光が投射される方向の許可領域内にある場合、前記画像を表示させる光の前記表示領域への投射を許可する投射許可ステップと
を含むことを特徴とするプログラム。
【発明の詳細な説明】
【技術分野】
【０００１】
本発明は、表示制御システムおよび方法、情報処理装置および方法、表示装置および方法、記録媒体、並びにプログラムに関し、特に、人間への強い光の照射を防ぐことができるようにした表示制御システムおよび方法、情報処理装置および方法、表示装置および方法、記録媒体、並びにプログラムに関する。
【背景技術】
【０００２】
近年、高画質、低価格なプロジェクタが販売されている。これに伴い、プロジェクタが一般家庭にも普及し、プロジェクタを利用したホームシアターを持つ家庭も増えてきている。
【０００３】
プロジェクタの需要が増えたことで、より高画質な画像を表示させるために、より強い光を投射するプロジェクタが開発されている。
【０００４】
しかしながら、プロジェクタが投射する強い光を人間が直視してしまった場合、目（視力）に障害が生じる危険性がある。
【０００５】
これは、現在開発が進められている、レーザー（LASER（Light Amplification by Stimulated Emission of Radiation））の光（光線）（以下、レーザー光と称する）をスクリーンに投射することによって画像を映し出すプロジェクタにおいても当てはまることである。
【０００６】
レーザーを利用する製品においては、レーザーの安全性を確保するための国際規格（IEC（International Electro technical Commission）60825）が存在する。この国際規格（IEC60825）には、レーザーの使用方法が細かく規定されている。
【０００７】
また、光の強度の強いレーザー光を観客に照射しないようにする方法としてAPR（Automatic Power Reduction）が提案されている。
【０００８】
これに伴った技術として、例えば、特許文献１には、スクリーンに映像を投射する投射型テレビジョン受像機の安全装置として、スクリーンの左右両側の端に反射部材を配置し、その反射部材に対し赤外線などの非可視光を照射し、その反射光が人間によって遮断されたか否かを基に、スクリーンの投射領域への移動体（人間）の侵入を検知し、光の出力を低減または遮断する技術が開示されている。
【０００９】
また、特許文献２には、特許文献１に記載の技術を、レーザー光を投射することでスクリーンに画像を表示させるプロジェクタに応用した技術が開示されている。すなわち、特許文献２には、プロジェクタが投射するレーザー光により画像が表示されている、スクリーンの周りに監視領域を設け、センサにより監視領域に進入した鑑賞者を検出し、鑑賞者が検出された場合に、プロジェクタのレーザーのスイッチをオフにする技術が開示されている。
【特許文献１】特開平４−１１１５８５号広報
【特許文献２】特表平１１−５０１４１９号公報
【発明の開示】
【発明が解決しようとする課題】
【００１０】
しかしながら、従来のプロジェクタは、スイッチをオンにすれば、場所を問わず画像を表示させるための光を投射していた。
【００１１】
したがって、ユーザが無造作にプロジェクタのスイッチをオンにしてしまうことで、光を投射する必要のない場所（光を投射すべきではない場所）、例えば、人間のいる場所に光を投射してしまう可能性があるという課題があった。
【００１２】
また、プロジェクタ１による光の投射中に、誤ってプロジェクタ１の位置をずらしてしまった場合、プロジェクタ１の近傍またはプロジェクタ１が投射する光の近傍にいる人間に、強度の強い光が照射されてしまうという課題があった。
【００１３】
本発明は、このような状況に鑑みてなされたものであり、光を投射する必要のない場所に、強度の強い光が投射されることを防ぐと共に、人間への強度の強い光の照射を防ぐことができるようにするものである。
【課題を解決するための手段】
【００１４】
本発明の表示制御システムは、情報処理装置が、通信装置から送信されてきた情報処理装置と通信装置との第１の距離を算出させるための第１の無線信号、および表示装置から送信されてきた情報処理装置と表示装置との第２の距離を算出させるための第２の無線信号を受信する第１の受信手段と、第１の無線信号を基に第１の距離を算出し、第２の無線信号を基に第２の距離を算出する距離算出手段と、第１の距離および第２の距離を基に、情報処理装置の平面上の位置を演算する位置演算手段と、情報処理装置の平面上の位置を示す第３の無線信号を表示装置に送信する第１の送信手段とを含み、通信装置が、情報処理装置と通信装置との第１の距離を算出させるための第１の無線信号を情報処理装置あてに送信する第２の送信手段を含み、表示装置が、情報処理装置と表示装置との第２の距離を算出させるための第２の無線信号を情報処理装置あてに送信する第３の送信手段と、情報処理装置から送信されてきた、情報処理装置の平面上の位置を示す第３の無線信号を受信する第２の受信手段と、情報処理装置の平面上の位置が、光が投射される方向の許可領域内にある場合、画像を表示させる光の表示領域への投射を許可する投射許可手段とを含むことを特徴とする。
【００１５】
本発明の表示制御方法は、通信装置が、情報処理装置と通信装置との第１の距離を算出させるための第１の無線信号を情報処理装置あてに送信し、表示装置が、情報処理装置と表示装置との第２の距離を算出させるための第２の無線信号を情報処理装置あてに送信し、情報処理装置が、通信装置から送信されてきた情報処理装置と通信装置との第１の距離を算出させるための第１の無線信号を受信し、表示装置から送信されてきた情報処理装置と表示装置との第２の距離を算出させるための第２の無線信号を受信し、第１の無線信号を基に第１の距離を算出し、第２の無線信号を基に第２の距離を算出し、第１の距離および第２の距離を基に、情報処理装置の平面上の位置を演算し、情報処理装置の平面上の位置を示す第３の無線信号を表示装置に送信し、表示装置が、情報処理装置から送信されてきた、情報処理装置の平面上の位置を示す第３の無線信号を受信し、情報処理装置の平面上の位置が、光が投射される方向の許可領域内にある場合、画像を表示させる光の表示領域への投射を許可することを特徴とする。
【００１６】
本発明の情報処理装置は、通信装置から送信されてきた自分と通信装置との第１の距離を算出させるための第１の無線信号、および表示装置から送信されてきた自分と表示装置との第２の距離を算出させるための第２の無線信号を受信する受信手段と、第１の無線信号を基に第１の距離を算出し、第２の無線信号を基に第２の距離を算出する距離算出手段と、第１の距離および第２の距離を基に、自分の平面上の位置を演算する位置演算手段と、自分の平面上の位置を示す第３の無線信号を表示装置に送信する送信手段とを含むことを特徴とする。
【００１７】
送信手段は、自分を識別するための識別情報を含む第３の無線信号を表示装置に送信するようにすることができる。
【００１８】
本発明の情報処理方法は、通信装置から送信されてきた情報処理装置と通信装置との第１の距離を算出させるための第１の無線信号、および表示装置から送信されてきた情報処理装置と表示装置との第２の距離を算出させるための第２の無線信号を受信する受信ステップと、第１の無線信号を基に第１の距離を算出し、第２の無線信号を基に第２の距離を算出する距離算出ステップと、第１の距離および第２の距離を基に、情報処理装置の平面上の位置を演算する位置演算ステップと、情報処理装置の平面上の位置を示す第３の無線信号を表示装置に送信する送信ステップとを含むことを特徴とする。
【００１９】
本発明の第１の記録媒体のプログラムは、通信装置から送信されてきた情報処理装置と通信装置との第１の距離を算出させるための第１の無線信号、および表示装置から送信されてきた情報処理装置と表示装置との第２の距離を算出させるための第２の無線信号の受信を制御する受信制御ステップと、第１の無線信号を基に第１の距離を算出し、第２の無線信号を基に第２の距離を算出する距離算出ステップと、第１の距離および第２の距離を基に、情報処理装置の平面上の位置を演算する位置演算ステップと、情報処理装置の平面上の位置を示す第３の無線信号の表示装置への送信を制御する送信制御ステップとを含むことを特徴とする。
【００２０】
本発明の第１のプログラムは、通信装置から送信されてきた情報処理装置と通信装置との第１の距離を算出させるための第１の無線信号、および表示装置から送信されてきた情報処理装置と表示装置との第２の距離を算出させるための第２の無線信号の受信を制御する受信制御ステップと、第１の無線信号を基に第１の距離を算出し、第２の無線信号を基に第２の距離を算出する距離算出ステップと、第１の距離および第２の距離を基に、情報処理装置の平面上の位置を演算する位置演算ステップと、情報処理装置の平面上の位置を示す第３の無線信号の表示装置への送信を制御する送信制御ステップとをコンピュータに実行させることを特徴とする。
【００２１】
本発明の表示装置は、画像を表示させる表示領域に配置される少なくとも１つ以上の情報処理装置であって、通信装置から送信されてくる情報処理装置と通信装置との第１の距離を算出させるための第１の無線信号を受信する情報処理装置あてに、情報処置装置と自分との第２の距離を算出させるための第２の無線信号を送信する送信手段と、第１の距離および第２の距離を基に、情報処理装置の平面上の位置を算出した情報処理装置から送信されてくる情報処理装置の平面上の位置を示す第３の無線信号を受信する受信手段と、情報処理装置の平面上の位置が、光が投射される方向の許可領域内にある場合、画像を表示させる光の表示領域への投射を許可する投射許可手段とを含むことを特徴とする。
【００２２】
表示装置は、レーザーである光を方向に投射して画像を表示させるようにすることができる。
【００２３】
本発明の表示方法は、画像を表示させる表示領域に配置される少なくとも１つ以上の情報処理装置であって、通信装置から送信されてくる情報処理装置と通信装置との第１の距離を算出させるための第１の無線信号を受信する情報処理装置あてに、情報処置装置と表示装置との第２の距離を算出させるための第２の無線信号を送信する送信ステップと、第１の距離および第２の距離を基に、情報処理装置の平面上の位置を算出した情報処理装置から送信されてくる情報処理装置の平面上の位置を示す第３の無線信号を受信する受信ステップと、情報処理装置の平面上の位置が、光が投射される方向の許可領域内にある場合、画像を表示させる光の表示領域への投射を許可する投射許可ステップとを含むことを特徴とする。
【００２４】
本発明の第２の記録媒体のプログラムは、画像を表示させる表示領域に配置される少なくとも１つ以上の情報処理装置であって、通信装置から送信されてくる情報処理装置と通信装置との第１の距離を算出させるための第１の無線信号を受信する情報処理装置への、情報処置装置と表示装置との第２の距離を算出させるための第２の無線信号の送信を制御する送信制御ステップと、第１の距離および第２の距離を基に、情報処理装置の平面上の位置を算出した情報処理装置から送信されてくる情報処理装置の平面上の位置を示す第３の無線信号の受信を制御する受信制御ステップと、情報処理装置の平面上の位置が、光が投射される方向の許可領域内にある場合、画像を表示させる光の表示領域への投射を許可する投射許可ステップとを含むことを特徴とする。
【００２５】
本発明の第２のプログラムは、画像を表示させる表示領域に配置される少なくとも１つ以上の情報処理装置であって、通信装置から送信されてくる情報処理装置と通信装置との第１の距離を算出させるための第１の無線信号を受信する情報処理装置への、情報処置装置と表示装置との第２の距離を算出させるための第２の無線信号の送信を制御する送信制御ステップと、第１の距離および第２の距離を基に、情報処理装置の平面上の位置を算出した情報処理装置から送信されてくる情報処理装置の平面上の位置を示す第３の無線信号の受信を制御する受信制御ステップと、情報処理装置の平面上の位置が、光が投射される方向の許可領域内にある場合、画像を表示させる光の表示領域への投射を許可する投射許可ステップとをコンピュータに実行させることを特徴とする。
【００２６】
本発明の表示制御システムおよび表示制御方法によれば、情報処理装置により、通信装置から送信されてきた情報処理装置と通信装置との第１の距離を算出させるための第１の無線信号、および表示装置から送信されてきた情報処理装置と表示装置との第２の距離を算出させるための第２の無線信号が受信され、第１の無線信号を基に第１の距離が算出され、第２の無線信号を基に第２の距離が算出され、第１の距離および第２の距離を基に、情報処理装置の平面上の位置が演算され、情報処理装置の平面上の位置を示す第３の無線信号が表示装置に送信される。また、通信装置により、情報処理装置と通信装置との第１の距離を算出させるための第１の無線信号が情報処理装置あてに送信される。さらに、表示装置により、情報処理装置と表示装置との第２の距離を算出させるための第２の無線信号が情報処理装置あてに送信され、情報処理装置から送信されてきた、情報処理装置の平面上の位置を示す第３の無線信号が受信され、情報処理装置の平面上の位置が、光が投射される方向の許可領域内にある場合、画像を表示させる光の表示領域への投射が許可される。
【００２７】
本発明の情報処理装置、情報処理方法、第１の記録媒体のプログラム、および第１のプログラムによれば、通信装置から送信されてきた情報処理装置と通信装置との第１の距離を算出させるための第１の無線信号、および表示装置から送信されてきた情報処理装置と表示装置との第２の距離を算出させるための第２の無線信号が受信され、第１の無線信号を基に第１の距離が算出され、第２の無線信号を基に第２の距離が算出され、第１の距離および第２の距離を基に、情報処理装置の平面上の位置が演算され、情報処理装置の平面上の位置を示す第３の無線信号が表示装置に送信される。
【００２８】
本発明の表示装置、表示方法、第２の記録媒体のプログラム、および第２のプログラムによれば、画像を表示させる表示領域に配置される少なくとも１つ以上の情報処理装置であって、通信装置から送信されてくる情報処理装置と通信装置との第１の距離を算出させるための第１の無線信号を受信する情報処理装置あてに、情報処置装置と表示装置との第２の距離を算出させるための第２の無線信号が送信され、第１の距離および第２の距離を基に、情報処理装置の平面上の位置を算出した情報処理装置から送信されてくる情報処理装置の平面上の位置を示す第３の無線信号が受信され、情報処理装置の平面上の位置が、光が投射される方向の許可領域内にある場合、画像を表示させる光の表示領域への投射が許可される。
【発明の効果】
【００２９】
本発明によれば、データを送受信することができる。また、本発明によれば、光を投射する必要のない場所に、強度の強い光が投射されることを防ぐと共に、人間への強度の強い光の照射を防ぐことができる。
【発明を実施するための最良の形態】
【００３０】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００３１】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００３２】
請求項１に記載の表示制御システムは、所定の方向に光を投射して画像を表示させる表示装置（例えば、図１５のプロジェクタ１および制御装置１３）、画像を表示させる表示領域（例えば、図１５のスクリーン３２）に配置される少なくとも１つ以上の情報処理装置（例えば、図１５の通信装置１４）、および情報処理装置（例えば、図１６の安全カード４０１−１乃至４０１−４）と無線通信を行う少なくとも１つ以上の通信装置からなる表示制御システムであって、情報処理装置が、通信装置から送信されてきた情報処理装置と通信装置との第１の距離（例えば、図１９の距離４２１）を算出させるための第１の無線信号、および表示装置から送信されてきた情報処理装置と表示装置との第２の距離を算出させるための第２の無線信号を受信する第１の受信手段（例えば、図３の受信部４４）と、第１の無線信号を基に第１の距離を算出し、第２の無線信号を基に第２の距離（例えば、図１９の距離４２２）を算出する距離算出手段（例えば、図４の距離算出手段７２）と、第１の距離および第２の距離を基に、情報処理装置の平面上の位置を演算する位置演算手段（例えば、図４の位置演算部７３）と、情報処理装置の平面上の位置を示す第３の無線信号を表示装置に送信する第１の送信手段（例えば、図３の送信部４５）とを備え、通信装置が、情報処理装置と通信装置との第１の距離を算出させるための第１の無線信号を情報処理装置あてに送信する第２の送信手段（例えば、図６の送信部１１１）を備え、表示装置が、情報処理装置と表示装置との第２の距離を算出させるための第２の無線信号を情報処理装置あてに送信する第３の送信手段（例えば、図１７の送信部９１）と、情報処理装置から送信されてきた、情報処理装置の平面上の位置を示す第３の無線信号を受信する第２の受信手段（例えば、図１７の受信部９３）と、情報処理装置の平面上の位置が、光が投射される方向の許可領域内にある場合、画像を表示させる光の表示領域への投射を許可する投射許可手段（例えば、図１７の投射許可部４１２）とを備えることを特徴とする。
【００３３】
請求項２に記載の表示制御方法は、所定の方向に光を投射して画像を表示させる表示装置（例えば、図１５のプロジェクタ１および制御装置１３）、画像を表示させる表示領域（例えば、図１５のスクリーン３２）に配置される少なくとも１つ以上の情報処理装置（例えば、図１６の安全カード４０１−１乃至４０１−４）、および情報処理装置と無線通信を行う少なくとも１つ以上の通信装置（例えば、図１５の通信装置１４）からなる表示制御システムの表示制御方法であって、通信装置は、情報処理装置と通信装置との第１の距離（例えば、図１９の距離４２１）を算出させるための第１の無線信号を情報処理装置あてに送信し（例えば、図１８のステップＳ３０１の処理）、表示装置は、情報処理装置と表示装置との第２の距離（例えば、図１９の距離４２２）を算出させるための第２の無線信号を情報処理装置あてに送信し（例えば、図１８のステップＳ３５１の処理）、情報処理装置は、通信装置から送信されてきた情報処理装置と通信装置との第１の距離を算出させるための第１の無線信号を受信し（例えば、図１８のステップＳ３３１の処理）、表示装置から送信されてきた情報処理装置と表示装置との第２の距離を算出させるための第２の無線信号を受信し（例えば、図１８のステップＳ３３２の処理）、第１の無線信号を基に第１の距離を算出し（例えば、図１８のステップＳ３３３の処理）、第２の無線信号を基に第２の距離を算出し（例えば、図１８のステップＳ３３４の処理）、第１の距離および第２の距離を基に、情報処理装置の平面上の位置を演算し（例えば、図１８のステップＳ３３５の処理）、情報処理装置の平面上の位置を示す第３の無線信号を表示装置に送信し（例えば、図１８のステップＳ３３６の処理）、表示装置は、情報処理装置から送信されてきた、情報処理装置の平面上の位置を示す第３の無線信号を受信し（例えば、図１８のステップＳ３５２の処理）、情報処理装置の平面上の位置が、光が投射される方向の許可領域内にある場合（例えば、図２０のステップＳ３８２の処理において“Yes”）、画像を表示させる光の表示領域への投射を許可する（例えば、図２０のステップＳ３８３の処理）ことを特徴とする。
【００３４】
請求項３に記載の情報処理装置は、画像を表示させる表示領域（例えば、図１５のスクリーン３２）に配置される情報処理装置（例えば、図１６の安全カード４０１−１乃至４０１−４）であって、所定の方向に光を投射して画像を表示させる表示装置（例えば、図１５のプロジェクタ１）と無線通信を行うとともに、所定の信号を送信する少なくとも１つ以上の通信装置（例えば、図１５の通信装置１４）と無線通信を行う情報処理装置において、通信装置から送信されてきた自分と通信装置との第１の距離（例えば、図１９の距離４２１）を算出させるための第１の無線信号、および表示装置から送信されてきた自分と表示装置との第２の距離（例えば、図１９の距離４２２）を算出させるための第２の無線信号を受信する受信手段（例えば、図３の受信部４４）と、第１の無線信号を基に第１の距離を算出し、第２の無線信号を基に第２の距離を算出する距離算出手段（例えば、図４の距離算出部７２）と、第１の距離および第２の距離を基に、自分の平面上の位置を演算する位置演算手段（例えば、図４の位置演算部７３）と、自分の平面上の位置を示す第３の無線信号を表示装置に送信する送信手段（例えば、図３の送信部４５）とを含むことを特徴とする。
【００３５】
請求項５に記載の情報処理方法は、画像を表示させる表示領域（例えば、図１５のスクリーン３２）に配置される情報処理装置（例えば、図１６の安全カード４０１−１乃至４０１−４）であって、所定の方向に光を投射して画像を表示させる表示装置（例えば、図１５のプロジェクタ１）と無線通信を行うとともに、所定の信号を送信する少なくとも１つ以上の通信装置（例えば、図１５の通信装置１４）と無線通信を行う情報処理装置の情報処理方法であって、通信装置から送信されてきた情報処理装置と通信装置との第１の距離（例えば、図１９の距離４２１）を算出させるための第１の無線信号、および表示装置から送信されてきた情報処理装置と表示装置との第２の距離（例えば、図１９の距離４２２）を算出させるための第２の無線信号を受信する受信ステップ（例えば、図１８のステップＳ３３１およびステップＳ３３２の処理）と、第１の無線信号を基に第１の距離を算出し、第２の無線信号を基に第２の距離を算出する距離算出ステップ（例えば、図１８のステップＳ３３３およびステップＳ３３４の処理）と、第１の距離および第２の距離を基に、情報処理装置の平面上の位置を演算する位置演算ステップ（例えば、図１８のステップＳ３３５の処理）と、情報処理装置の平面上の位置を示す第３の無線信号を表示装置に送信する送信ステップ（例えば、図１８のステップＳ３３６の処理）とを含むことを特徴とする。
【００３６】
請求項６に記載の記録媒体のプログラムは、画像を表示させる表示領域（例えば、図１５のスクリーン３２）に配置される情報処理装置（例えば、図１６の安全カード４０１−１乃至４０１−４）であって、所定の方向に光を投射して画像を表示させる表示装置（例えば、図１５のプロジェクタ１）と無線通信を行うとともに、所定の信号を送信する少なくとも１つ以上の通信装置（例えば、図１５の通信装置１４）と無線通信を行う情報処理装置の情報処理用のプログラムであって、通信装置から送信されてきた情報処理装置と通信装置との第１の距離（例えば、図１９の距離４２１）を算出させるための第１の無線信号、および表示装置から送信されてきた情報処理装置と表示装置との第２の距離（例えば、図１９の距離４２２）を算出させるための第２の無線信号の受信を制御する受信制御ステップ（例えば、図１８のステップＳ３３１およびステップＳ３３２の処理）と、第１の無線信号を基に第１の距離を算出し、第２の無線信号を基に第２の距離を算出する距離算出ステップ（例えば、図１８のステップＳ３３３およびステップＳ３３４の処理）と、第１の距離および第２の距離を基に、情報処理装置の平面上の位置を演算する位置演算ステップ（例えば、図１８のステップＳ３３５の処理）と、情報処理装置の平面上の位置を示す第３の無線信号の表示装置への送信を制御する送信制御ステップ（例えば、図１８のステップＳ３３６の処理）とを含むことを特徴とする。
【００３７】
請求項７に記載のプログラムは、画像を表示させる表示領域（例えば、図１５のスクリーン３２）に配置される情報処理装置（例えば、図１６の安全カード４０１−１乃至４０１−４）であって、所定の方向に光を投射して画像を表示させる表示装置（例えば、図１５のプロジェクタ１）と無線通信を行うとともに、所定の信号を送信する少なくとも１つ以上の通信装置（例えば、図１５の通信装置１４）と無線通信を行う情報処理装置を制御するコンピュータに、情報処理を行わせるプログラムであって、通信装置から送信されてきた情報処理装置と通信装置との第１の距離（例えば、図１９の距離４２１）を算出させるための第１の無線信号、および表示装置から送信されてきた情報処理装置と表示装置との第２の距離（例えば、図１９の距離４２２）を算出させるための第２の無線信号の受信を制御する受信制御ステップ（例えば、図１８のステップＳ３３１およびステップＳ３３２の処理）と、第１の無線信号を基に第１の距離を算出し、第２の無線信号を基に第２の距離を算出する距離算出ステップ（例えば、図１８のステップＳ３３３およびステップＳ３３４の処理）と、第１の距離および第２の距離を基に、情報処理装置の平面上の位置を演算する位置演算ステップ（例えば、図１８のステップＳ３３５の処理）と、情報処理装置の平面上の位置を示す第３の無線信号の表示装置への送信を制御する送信制御ステップ（例えば、図１８のステップＳ３３６の処理）とを含むことを実行させる。
【００３８】
請求項８に記載の表示装置は、所定の方向に光を投射して画像を表示させる表示装置（例えば、図１５のプロジェクタ１）であって、画像を表示させる表示領域（例えば、図１５のスクリーン３２）に配置される少なくとも１つ以上の情報処理装置（例えば、図１６の安全カード４０１−１乃至４０１−４）であって、通信装置（例えば、図１５の通信装置１４）から送信されてくる情報処理装置と通信装置との第１の距離（例えば、図１９の距離４２１）を算出させるための第１の無線信号を受信する情報処理装置あてに、情報処置装置と自分との第２の距離（例えば、図１９の距離４２２）を算出させるための第２の無線信号を送信する送信手段（例えば、図１７の送信部９１）と、第１の距離および第２の距離を基に、情報処理装置の平面上の位置を算出した情報処理装置から送信されてくる情報処理装置の平面上の位置を示す第３の無線信号を受信する受信手段（例えば、図１７の受信部９３）と、情報処理装置の平面上の位置が、光が投射される方向の許可領域内にある場合、画像を表示させる光の表示領域への投射を許可する投射許可手段（例えば、図１７の投射許可部４１２）とを含むことを特徴とする。
【００３９】
請求項１０に記載の表示方法は、所定の方向に光を投射して画像を表示させる表示装置（例えば、図１５のプロジェクタ１）の表示方法であって、画像を表示させる表示領域（例えば、図１５のスクリーン３２）に配置される少なくとも１つ以上の情報処理装置（例えば、図１６の安全カード４０１−１乃至４０１−４）であって、通信装置（例えば、図１５の通信装置１４）から送信されてくる情報処理装置と通信装置との第１の距離（例えば、図１９の距離４２１）を算出させるための第１の無線信号を受信する情報処理装置あてに、情報処置装置と表示装置との第２の距離（例えば、図１９の距離４２２）を算出させるための第２の無線信号を送信する送信ステップ（例えば、図１８のステップＳ３５１の処理）と、第１の距離および第２の距離を基に、情報処理装置の平面上の位置を算出した情報処理装置から送信されてくる情報処理装置の平面上の位置を示す第３の無線信号を受信する受信ステップ（例えば、図１８のステップＳ３５２の処理）と、情報処理装置の平面上の位置が、光が投射される方向の許可領域内にある場合、画像を表示させる光の表示領域への投射を許可する投射許可ステップ（例えば、図２０のステップＳ３８３の処理）とを含むことを特徴とする。
【００４０】
請求項１１に記載の記録媒体のプログラムは、所定の方向に光を投射して画像を表示させる表示装置（例えば、図１５のプロジェクタ１）の表示処理用のプログラムであって、画像を表示させる表示領域（例えば、図１５のスクリーン３２）に配置される少なくとも１つ以上の情報処理装置（例えば、図１６の安全カード４０１−１乃至４０１−４）であって、通信装置（例えば、図１５の通信装置１４）から送信されてくる情報処理装置と通信装置との第１の距離（例えば、図１９の距離４２１）を算出させるための第１の無線信号を受信する情報処理装置への、情報処置装置と表示装置との第２の距離（例えば、図１９の距離４２２）を算出させるための第２の無線信号の送信を制御する送信制御ステップ（例えば、図１８のステップＳ３５１の処理）と、第１の距離および第２の距離を基に、情報処理装置の平面上の位置を算出した情報処理装置から送信されてくる情報処理装置の平面上の位置を示す第３の無線信号の受信を制御する受信制御ステップ（例えば、図１８のステップＳ３５２の処理）と、情報処理装置の平面上の位置が、光が投射される方向の許可領域内にある場合、画像を表示させる光の表示領域への投射を許可する投射許可ステップ（例えば、図２０のステップＳ３８３の処理）とを含むことを特徴とする。
【００４１】
請求項１２に記載のプログラムは、所定の方向に光を投射して画像を表示させる表示装置（例えば、図１５のプロジェクタ１）を制御するコンピュータに、表示処理を行わせるプログラムであって、画像を表示させる表示領域（例えば、図１５のスクリーン３２）に配置される少なくとも１つ以上の情報処理装置（例えば、図１６の安全カード４０１−１乃至４０１−４）であって、通信装置（例えば、図１５の通信装置１４）から送信されてくる情報処理装置と通信装置との第１の距離（例えば、図１９の距離４２１）を算出させるための第１の無線信号を受信する情報処理装置への、情報処置装置と表示装置との第２の距離（例えば、図１９の距離４２２）を算出させるための第２の無線信号の送信を制御する送信制御ステップ（例えば、図１８のステップＳ３５１の処理）と、第１の距離および第２の距離を基に、情報処理装置の平面上の位置を算出した情報処理装置から送信されてくる情報処理装置の平面上の位置を示す第３の無線信号の受信を制御する受信制御ステップ（例えば、図１８のステップＳ３５２の処理）と、情報処理装置の平面上の位置が、光が投射される方向の許可領域内にある場合、画像を表示させる光の表示領域への投射を許可する投射許可ステップ（例えば、図２０のステップＳ３８３の処理）とを実行させる。
【００４２】
以下に、本発明の実施の形態について図面を参照して説明する。
【００４３】
図１は、本発明に係る表示制御システムの一実施の形態の例を示す図である。プロジェクタ１は、画像を映し出すために投射する光（以下、投射光と称する）として、例えば、レーザー光を投射することにより、図２を参照して後述するスクリーン３２に所定の画像を表示させる（映写する）。また、プロジェクタ１は、例えば、表示デバイスであるGLV（Grating Light Valve）により、レーザー光の強さを制御することで、所定の画像を表示させるレーザー光をスクリーン３２に投射する。
【００４４】
プロジェクタ１が投射する画像およびこの画像とともに再生される音声を視聴する視聴者は、安全カード１１を携帯する。安全カード１１には、紐１２が設けられており、視聴者は、この紐１２を首にかけることで安全カード１１を携帯するか、または安全カード１１をポケットなどに入れることで携帯する。
【００４５】
安全カード１１は、マイクロ波や所定の光を用いて通信処理を行うIC（Integrated Circuit）タグなどであり、後述する制御装置１３および通信装置１４から所定の時間差で送信される所定の信号を受信する。また、安全カード１１は、制御装置１３および通信装置１４から送信されてきた信号を基に、安全カード１１と制御装置１３（プロジェクタ１）との距離および安全カード１１と通信装置１４との距離を算出し、自分（安全カード１１）の現在の位置を演算（特定）する。さらに、安全カード１１は、自分自身の現在の位置を示す情報を制御装置１３に送信する。
【００４６】
例えば、安全カード１１は、制御装置１３（プロジェクタ１）を原点とする２次元の座標であって、制御装置１３、通信装置１４、および後述するスクリーン３２の位置を基に定める座標上の自分（安全カード１１）の位置を演算する。
【００４７】
制御装置１３は、プロジェクタ１に備えられ、例えば、CPU（Central Processing Unit）または組込型のMPU（Micro Processing Unit）、または専用IC（Integrated Circuit）やクロックジェネレータまたはリアルタイムクロックなどを含んで構成される。また、制御装置１３は、例えば、図３を参照して後述する安全カード１１のクロックジェネレータ４６および通信装置１４のクロックジェネレータと同期している、自分（制御装置１３）のクロックジェネレータから出力されるクロックに基づいて、通信装置１４の信号の送信と所定の時間をおいて（所定の時間差で）、所定の信号を安全カード１１に送信する。
【００４８】
さらに、制御装置１３は、安全カード１１から送信されてきた、安全カード１１の現在の位置を示す情報を基に、プロジェクタ１が投射しているレーザー光の低減をプロジェクタ１に指示する。より具体的には、制御装置１３は、安全カード１１の現在の位置がレーザー光の強度の強い（光の密度の高い）領域（エリア）内であるか否かを判定する。さらに、制御装置１３は、判定結果を基に、レーザー光の低減を指示する制御信号をプロジェクタ１に出力し、プロジェクタ１を制御する。すなわち、制御装置１３は、判定結果を基に、プロジェクタ１が投射するレーザー光の強度を制御する。
【００４９】
なお、制御装置１３は、プロジェクタ１が投射するレーザー光の通る領域に隣接する領域であって、レーザー光の通る領域からの距離が所定の値より短い領域に、安全カード１１が位置するか否かを判定し、この判定結果を基に、プロジェクタ１にレーザー光の強度の低減を指示するようにしてもよい。
【００５０】
なお、プロジェクタ１および制御装置１３は、個々の装置として説明するが、１つの装置として構成するようにしてもよい。
【００５１】
通信装置１４は、例えば、CPUまたは組込型のMPU、または専用ICやクロックジェネレータまたはリアルタイムクロックなどを含んで構成される。また、通信装置１４は、例えば、図３を参照して後述する安全カード１１のクロックジェネレータ４６および制御装置１３のクロックジェネレータと同期している、自分（通信装置１４）のクロックジェネレータから出力されるクロックに基づいて、制御装置１３と所定の時間差で、所定の信号を安全カード１１に送信する。
【００５２】
図２は、図１の本発明に係る表示制御システムを用いた部屋３１における、制御装置１３および通信装置１４の配置の例を示す図である。部屋３１において、制御装置１３が備えられているプロジェクタ１は、投射光として、例えば、レーザー光を投射することにより、スクリーン３２の投射エリア３３に所定の画像を表示させる（映写する）ことが可能な位置に配置される。通信装置１４は、部屋３１内の所定の場所、例えば、部屋３１の壁際などに配置される。
【００５３】
また、部屋３１において、安全カード１１を携帯している、図示せぬ視聴者は、所定の場所で投射エリア３３に表示される画像およびその画像とともに再生される音声を視聴する。
【００５４】
なお、図２に示される部屋３１においては、安全カード１１が１個、すなわち、安全カード１１を携帯する図示せぬ視聴者が１人だけであるように、図示されているが、当然に複数の視聴者が部屋３１にいる場合には、１人１人に安全カード１１が配布され、視聴者は、各自、安全カード１１を携帯する。
【００５５】
図３は、安全カード１１の構成の例を示すブロック図である。安全カード１１は、制御部４１,ROM（Read Only Memory）４２,RAM（Random Access Memory）４３、受信部４４、送信部４５、クロックジェネレータ４６、およびGPS（Global Positioning System）受信部４７により構成される。
【００５６】
制御部４１は、汎用のCPUまたは組込型のMPUなどにより構成され、ROM４２に記憶されているプログラム、または受信部４４よりRAM４３に記憶されたプログラムやデータ、もしくは必要に応じて装着されたドライブ５１から制御部４１（のレジスタ）やRAM４３に記憶されたプログラムに従って、安全カード１１全体を制御し、各種の処理を実行する。RAM４３にはまた、制御部４１が各種の処理を実行する上において必要なデータなども適宜記憶される。また、ROM４２には、安全カード１１毎に安全カード１１を識別する識別情報である所定のID（IDentification）番号が記憶されている。
【００５７】
受信部４４および送信部４５は、図示せぬアンテナと接続されており、受信部４４は、アンテナを介し、制御装置１３および通信装置１４から送信されてきた信号を受信する。送信部４５は、アンテナを介し、安全カード１１の現在の位置を示す情報を制御装置１３に送信する。
【００５８】
クロックジェネレータ４６は、制御装置１３および通信装置１４の図示せぬクロックジェネレータと同期し、クロック（信号）または日時（のデータ）を制御部４１に供給する。
【００５９】
GPS受信部４７は、図示せぬGPSアンテナと接続されており、GPS衛星から送信されてくる信号であるGPS信号を受信し、GPSアンテナにより受信されたGPS信号を解析し、現在時刻、安全カード１１の現在位置（緯度、経度、高度など）の情報を演算し、取得する。
【００６０】
ドライブ５１は、必要に応じて安全カード１１に接続され、磁気ディスク、光ディスク、光磁気ディスク、或いは半導体メモリなどであるリムーバブルメディア５２が装着されたとき、それらを駆動し、そこに記録されているプログラムやデータを制御部４１やRAM４３に供給する。
【００６１】
図４は、安全カード１１の制御部４１が実行する位置特定プログラム６１の機能の構成の例を示すブロック図である。位置特定プログラム６１は、受信制御部７１、距離算出部７２、位置演算部７３、および送信制御部７４を含むように構成される。
【００６２】
受信制御部７１は、受信部４４を制御し、制御装置１３および通信装置１４から送信されてきた信号の受信を制御する。また、受信制御部７１は、受信した信号を距離算出部７２に供給する。なお、制御装置１３および通信装置１４、並びに安全カード１１における通信方式として、例えば、CDMA（Code Division Multiple Access）通信方式またはUWB（Ultra Wide Band）通信方式などが利用できる。
【００６３】
距離算出部７２は、クロックジェネレータ４６の日時および受信制御部７１から供給された信号を基に、安全カード１１と制御装置１３との距離および安全カード１１と通信装置１４との距離の２つの距離を算出する。距離算出部７２は、算出した２つの距離を位置演算部７３に供給する。
【００６４】
位置演算部７３は、予め記憶している、制御装置１３および通信装置１４の位置、並びに距離算出部７２から供給された安全カード１１と制御装置１３との距離および安全カード１１と通信装置１４との距離を基に、安全カード１１の現在の位置（２次元の座標上の位置）を演算（特定）する。また、位置演算部７３は、演算した安全カード１１の現在の位置を示す情報を送信制御部７４に供給する。
【００６５】
送信制御部７４は、送信部４５を制御し、通信装置１４への位置演算部７３から供給された安全カード１１の現在の位置を示す情報および安全カード１１を識別するための識別情報（以下、安全カード１１の識別情報と称する）であるID番号の送信を制御する。ここで、安全カード１１の識別情報であるID番号は、安全カード１１のROM４２に記憶されている。
【００６６】
図５は、制御装置１３の機能の構成の例を示すブロック図である。制御装置１３は、送信部９１、送信制御部９２、受信部９３、受信制御部９４、識別情報判定部９５、エリア判定部９６、および低減指示部９７を含むように構成される。
【００６７】
送信部９１は、送信制御部９２の制御の基、送信時刻および制御装置１３を識別するための識別情報を含む信号であって、制御装置１３と安全カード１１との距離を算出させるための信号を安全カード１１に送信する。
【００６８】
送信制御部９２は、安全カード１１および通信装置１４と同期している、日時（を示すデータ）などを出力する図示せぬクロックジェネレータなどを用いて、例えば、送信部９１による、安全カード１１への送信時刻および制御装置１３を識別するための識別情報を含んで構成される信号の送信を制御する。送信制御部９２は、予め定めた時間毎に、送信部９１に信号を送信させる。
【００６９】
受信部９３は、受信制御部９４の制御の基、安全カード１１から送信されてきた安全カード１１の現在の位置（２次元の座標上の位置）を示す情報および安全カード１１の識別情報を受信する。
【００７０】
受信制御部９４は、受信部９３による、安全カード１１から送信されてきた安全カード１１の現在の位置を示す情報および安全カード１１の識別情報の受信を制御する。また、受信制御部９４は、受信した安全カード１１の識別情報を識別情報判定部９５に供給し、受信した安全カード１１の現在の位置を示す情報をエリア判定部９６に供給する。
【００７１】
識別情報判定部９５は、受信制御部９４から供給された安全カード１１の識別情報、すなわち、安全カード１１のID番号を基に、安全カード１１を識別する（安全カード１１を携帯している人間を識別する）。例えば、安全カード１１に、安全カード１１の識別情報として、投射エリア３３に表示される画像および音声を視聴する視聴者とプロジェクタ１を管理する管理者（表示制御システムの管理者）とを識別するために、２種類の識別情報、すなわち、視聴者を示すID番号と管理者を示すID番号とが設定されている場合、識別情報判定部９５は、安全カード１１の識別情報（ID番号）がプロジェクタ１を管理する管理者を示しているか否かを判定する。また、識別情報判定部９５は、安全カード１１の識別情報がプロジェクタ１を管理する管理者を示しているか否かの判定結果をエリア判定部９６に供給する。
【００７２】
エリア判定部９６は、安全カード１１の現在の位置を基に、安全カード１１の現在の位置が、プロジェクタ１の投射する光を低減すべき領域内であって、予め定めた領域内にあるか否かを判定する。エリア判定部９６は、判定結果を低減指示部９７に供給する。
【００７３】
また、例えば、エリア判定部９６は、識別情報判定部９５から供給された安全カード１１の識別情報がプロジェクタ１を管理する管理者を示しているか否かの判定結果を基に、安全カード１１の現在の位置、すなわち、安全カード１１を携帯している人間（管理者または視聴者）の現在の位置が、プロジェクタ１の投射する投射光（レーザー光）が通過する光の領域（エリア）において、人間への照射が危険とされる強い強度の光（密度の高い光）の領域（エリア）であるか否かを判定する。また、エリア判定部９６は、安全カード１１を携帯している人間の現在の位置が、プロジェクタ１が投射している光の領域内であって、人間への照射が危険とされる強い強度の光の領域（エリア）であるか否かの判定結果を低減指示部９７に供給する。
【００７４】
低減指示部９７は、安全カード１１の現在の位置が、プロジェクタ１の投射する光の強度を低減すべき領域内にあると判定された場合、プロジェクタ１の投射する光の強度の低減を指示する。
【００７５】
また、例えば、低減指示部９７は、エリア判定部９６から供給された安全カード１１を携帯している人間の現在の位置が、プロジェクタ１が投射している光の強度の強い領域（エリア）（人間への照射が危険とされる強い強度の光の領域）であることを示す判定結果を基に、プロジェクタ１に、投射光（レーザー光）の強度の低減またはレーザー光の遮断を指示する。
【００７６】
図６は、通信装置１４の機能の構成の例を示すブロック図である。通信装置１４は、送信部１１１および送信制御部１１２を含むように構成される。
【００７７】
送信部１１１は、送信制御部１１２の制御の基、送信時刻および通信装置１４を識別するための識別情報を含む信号であって、通信装置１４と安全カード１１との距離を算出させるための信号を安全カード１１に送信する。
【００７８】
送信制御部１１２は、安全カード１１および制御装置１３と同期している、図示せぬクロックジェネレータのクロックを基に、制御装置１３と所定の時間をおいて（所定の時間差で）、送信部１１１による、安全カード１１への送信時刻および通信装置１４を識別するための識別情報を含む信号の送信を制御する。送信制御部１１２は、予め定めた時間毎に送信部１１１に信号を送信させる。
【００７９】
次に、図７のフローチャートを参照して、安全カード１１、制御装置１３、および通信装置１４による、表示制御システムの処理である、通信装置１４による信号の送信の処理、制御装置１３による低減の指示の処理、および位置特定プログラム６１を実行する安全カード１１による位置特定の処理を説明する。この表示制御システムの処理は、プロジェクタ１がスクリーン３２の投射エリア３３に、例えば、レーザー光を投射することで、所定の画像（映像）を表示している間、繰り返し実行される。
【００８０】
なお、安全カード１１と通信装置１４との距離および安全カード１１と制御装置１３との距離を説明する図８、および強い強度の光が照射される領域である危険エリアを説明する図９を参照しながら、処理を説明する。
【００８１】
ステップＳ１において、通信装置１４の送信部１１１は、送信制御部１１２の制御の基、安全カード１１あてに、安全カード１１と通信装置１４との距離を（安全カード１１に）算出させるための信号を送信する。この信号には、例えば、通信装置１４を識別するための識別情報および信号を送信した送信時刻が含まれている。
【００８２】
ステップＳ１の処理の後、ステップＳ１に戻り、通信装置１４のスイッチがオフにされるまで、予め定めた期間毎に、上述した処理が繰り返される。
【００８３】
ステップＳ３１において、安全カード１１の受信部４４は、受信制御部７１の制御の基、ステップＳ１の処理において通信装置１４から送信されてきた安全カード１１と通信装置１４との距離を算出させるための信号を受信する。
【００８４】
ステップＳ５１において、制御装置１３の送信部９１は、送信制御部９２の制御の基、安全カード１１あてに、安全カード１１と制御装置１３（プロジェクタ１）との距離を（安全カード１１に）算出させるための信号を送信する。この信号には、例えば、制御装置１３を識別するための識別情報および信号を送信した送信時刻が含まれている。
【００８５】
通信装置１４および制御装置１３は、例えば、図示せぬそれぞれのクロックジェネレータが出力するクロックに基づいて同期している。通信装置１４によるステップＳ１の処理および制御装置１３によるステップＳ５１の処理は、所定の時間差をおいて実行される。すなわち、通信装置１４がステップＳ１の処理において、安全カード１１あてに信号を送信した後に、例えば、１ｍｓｅｃ後に、制御装置１３がステップＳ５１の処理において、安全カード１１あてに信号を送信する。
【００８６】
ここで、ステップＳ１の処理における通信装置１４による信号の送信の処理およびステップＳ５１の処理における制御装置１３による信号の送信の処理の間に所定の時間（時間差）を設けるのは、通信装置１４および制御装置１３のそれぞれが送信した２つの信号が安全カード１１付近で干渉しあうことを防ぐためである。すなわち、例えば、安全カード１１と通信装置１４との距離および安全カード１１と制御装置１３との距離が等しい場合に、通信装置１４および制御装置１３が同時にそれぞれの信号を安全カード１１あてに送信してしまうことで、２つの信号が同時に安全カード１１に到着することにより、２つの信号が安全カード１１付近で干渉し合うことを防ぐためである。
【００８７】
この時間差は、この干渉が生じない範囲で、できるだけ小さくすることが好ましい。
【００８８】
ステップＳ３２において、安全カード１１の受信部４４は、受信制御部７１の制御の基、ステップＳ５１の処理により制御装置１３から送信された安全カード１１と制御装置１３（プロジェクタ１）との距離を算出させるための信号を受信する。
【００８９】
ステップＳ３３において、安全カード１１の距離算出部７２は、ステップＳ３１の処理により受信された信号を基に、安全カード１１と通信装置１４との距離１５１（図８参照）を算出する。例えば、安全カード１１のクロックジェネレータ４６と通信装置１４の図示せぬクロックジェネレータが同期し、所定の時間の間隔をおいて通信装置１４が安全カード１１に、安全カード１１と通信装置１４との距離を算出させるための信号を送信することが予め設定されている場合、距離算出部７２は、安全カード１１のクロックジェネレータ４６が出力する所定のクロックを基準信号とし、基準信号であるクロックからどれくらい遅延したか、すなわち、その基準信号であるクロックからそのクロックに同期している通信装置１４が送信した信号を安全カード１１が受信するまでにかかった時間を算出する。距離算出部７２は、算出された時間に、予め安全カード１１に記録されている信号の速度を乗算することにより、図８で示される安全カード１１と通信装置１４との距離１５１を算出する。
【００９０】
具体的には、例えば、通信装置１４が送信した信号が、安全カード１１のクロックジェネレータ４６が出力する基準信号であるクロックより５０ｎsec（nano second）遅れて、安全カード１１に受信された場合、５０×１０-9（ｓ）×０．３×１０9（ｍ/ｓ）より、安全カード１１と通信装置１４との距離１５１は、１５ｍとされる。ここで、通信装置１４が送信する信号の速度は、光の速度と等しいものとする。
【００９１】
なお、ステップＳ３３の処理において、安全カード１１の距離算出部７２は、ステップＳ３１の処理により受信された信号に送信時刻が含まれている場合、ステップＳ３１の処理により受信された信号に含まれる送信時刻と、安全カード１１がその信号を受信した受信時刻との差、すなわち、通信装置１４から送信された安全カード１１と通信装置１４との距離を算出させるための信号が安全カード１１に受信されるまでにかかった時間および予め安全カード１１に記録されている（通信装置１４が送信した）信号の速度（＝光の速度）を基に、距離１５１を算出するようにしてもよい。
【００９２】
ステップＳ３４において、安全カード１１の距離算出部７２は、安全カード１１と制御装置１３（プロジェクタ１）との距離１５２（図８参照）を算出する。すなわち、例えば、ステップＳ３３の処理で上述したのと同様に、安全カード１１のクロックジェネレータ４６が出力する基準信号であるクロックから制御装置１３が送信した信号を安全カード１１が受信するまでにかかった時間および予め安全カード１１に記録されている（制御装置１３が送信した）信号の速度（＝光の速度）を基に、図８で示される安全カード１１と制御装置１３との距離１５２が算出される。
【００９３】
なお、上述したステップＳ３３の処理と同様に、ステップＳ３４の処理において、安全カード１１の距離算出部７２は、ステップＳ３２の処理により受信された信号に送信時刻が含まれている場合、ステップＳ３２の処理により受信された信号に含まれる送信時刻と、安全カード１１がその信号を受信した受信時刻との差、すなわち、制御装置１３から送信された安全カード１１と制御装置１３との距離を算出させるための信号が安全カード１１に受信されるまでにかかった時間および予め安全カード１１に記録されている（制御装置１３が送信した）信号の速度（＝光の速度）を基に、距離１５２を算出するようにしてもよい。
【００９４】
ステップＳ３５において、安全カード１１の位置演算部７３は、安全カード１１の現在の位置（２次元の座標上の位置）を演算（特定）する。例えば、位置演算部７３は、ステップＳ３５において、予め記憶している制御装置１３の位置および通信装置１４の位置を参照して、図８で示されるように、ステップＳ３３の処理により算出された安全カード１１と通信装置１４との距離１５１が半径とされ、通信装置１４が中心とされる円１６１およびステップＳ３４の処理により算出された安全カード１１と制御装置１３との距離１５２が半径とされ、制御装置１３（プロジェクタ１）が中心とされる円１６２を基に、安全カード１１の現在の位置を演算する。すなわち、円１６１と円１６２との交点が安全カード１１の現在の位置（２次元の座標上の位置）として演算（特定）される。
【００９５】
なお、部屋３１の外にも円１６１と円１６２とによる交点が存在するが、部屋３１の壁際に設置されている制御装置１３および通信装置１４によって送信される信号の方向（信号の送信範囲）を、例えば、部屋３１の内側のみにすることで、部屋３１の外の円１６１と円１６２との交点は除外される。これにより、円１６１と円１６２との交点による安全カード１１の位置、すなわち、安全カード１１を携帯している人間の位置は、図８で示される安全カード１１の位置とされ、部屋３１の外に存在する交点の位置とされることはない。
【００９６】
ステップＳ３６において、安全カード１１の送信部４５は、送信制御部７４の制御の基、ステップＳ３５の処理により演算された安全カード１１の現在の位置を示す情報および安全カード１１の識別情報、すなわち、安全カード１１のROM４２に記憶されているID番号を制御装置１３あてに送信する。
【００９７】
ステップＳ３６の処理の後、手続きは、ステップＳ３１に戻り、上述した処理が繰り返される。
【００９８】
ステップＳ５２において、制御装置１３の受信部９３は、受信制御部９４の制御の基、ステップＳ３６の処理により安全カード１１から送信された、安全カード１１の現在の位置を示す情報および安全カード１１の識別情報（ID番号）を受信する。
【００９９】
ステップＳ５３において、制御装置１３の識別情報判定部９５は、安全カード１１の識別情報がプロジェクタ１を管理する（表示制御システムを管理する）管理者を示しているか否かを判定する。
【０１００】
ステップＳ５３において、安全カード１１の識別情報が、プロジェクタ１を管理する管理者を示していないと判定された場合、すなわち、安全カード１１の識別情報（ID番号）が投射エリア３３に表示されている画像を見る視聴者を示している場合、ステップＳ５４に進み、制御装置１３のエリア判定部９６は、安全カード１１の現在の位置がスクリーン３２に投射される光の強度の強いエリア内、すなわち、人間への照射が危険である強い強度の光のエリアであるか否かを判定する。例えば、図９で示される危険エリア１７１内であるか否かが判定される。なお、危険エリア１７１は、危険エリア１７２を含む。
【０１０１】
ここで、光の強度の強いエリア、すなわち、人間への照射が危険である強い強度の光のエリアである危険エリア１７１とは、プロジェクタ１から画像を映し出すために投射される光（レーザー光）が通過する領域（エリア）であって、光（レーザー光）の強度が強い（光の密度が高い）、プロジェクタ１の近傍の領域を示す。プロジェクタ１から投射されるレーザー光は、スクリーン３２全体に投影されるので、プロジェクタ１からある角度をもって拡がる。従って、プロジェクタ１により近い領域は、レーザー光が拡がっていないので、面積あたりのエネルギーが大きいと言える。
【０１０２】
ステップＳ５４において、安全カード１１の現在の位置が、スクリーン３２に投射される光の強度の強いエリア（危険エリア１７１）内であると判定された場合、強度の強い（高出力の）投射光（レーザー光）の人間への照射を避ける（防ぐ）ため、ステップＳ５５に進み、制御装置１３の低減指示部９７は、プロジェクタ１に、投射エリア３３に投射されている光（レーザー光）の遮断を指示する。プロジェクタ１は、制御装置１３から投射光の遮断が指示されると、メカニカルシャッタなどを用いることで投射光（レーザー光）を遮断する。また、プロジェクタ１は、レーザーの光源への供給電力を遮断することにより、レーザー光である投射光を０まで低減するようにしてもよい。
【０１０３】
ステップＳ５５の処理の後、ステップＳ５１に戻り、制御装置１３またはプロジェクタ１のスイッチがオフにされるまで、上述した処理が繰り返される。
【０１０４】
ステップＳ５４において、安全カード１１の現在の位置がスクリーン３２に投射される光の強度の強いエリア内ではないと判定された場合、すなわち、プロジェクタ１から画像を映し出すために投射される光（レーザー光）が通過する領域であって、図９で示される危険エリア１７２より図中左側の光の領域またはプロジェクタ１が投射する光が通過する領域以外の場所である場合、強度の強い光が人間に照射される危険性が少ないため、投射光の遮断または光の強度の低減の必要がないので、レーザー光を遮断することなく、手続きは、ステップＳ５１に戻り、制御装置１３またはプロジェクタ１のスイッチがオフにされるまで、上述した処理が繰り返される。
【０１０５】
ステップＳ５３において、安全カード１１の識別情報が、プロジェクタ１を管理する管理者を示していると判定された場合、ステップＳ５６に進み、制御装置１３のエリア判定部９６は、安全カード１１の現在の位置がスクリーン３２に投射される光の強度のより強いエリア内である、危険エリア１７２であるか否かが判定される。ここで、光の強度のより強いエリア（危険エリア１７２）とは、危険エリア１７１内であって、プロジェクタ１のより近傍で、プロジェクタ１が投射する光（レーザー光）の強度（密度）が最も強い（高い）領域を示す。
【０１０６】
ステップＳ５６において、安全カード１１の現在の位置がスクリーン３２に投射される光の強度のより強いエリア（危険エリア１７２）内であると判定された場合、危険エリア１７２にいる人間が、たとえ、プロジェクタ１の管理者であっても、危険エリア１７２は光の強度が最も強い領域であるため、ステップＳ５７に進み、低減指示部９７は、プロジェクタ１に、投射エリア３３に投射される光（レーザー光）の強度の低減を指示する。プロジェクタ１は、制御装置１３から投射光の強度の低減が指示されると、投射光の強度を低減する。
【０１０７】
ここで、投射光の強度を低減させるとは、例えば、プロジェクタ１の、図示せぬレーザーの光源の出力を安全なレベルまで低減させることをいう。例えば、プロジェクタ１のレーザーの光源への供給電力を減らすことにより、レーザー光である投射光の強度が低減される。
【０１０８】
また、例えば、入力された映像信号のレベルを下げることにより、投射光の強度が低減されるようにしてもよい。例えば、RGB（Red-Green-Blue）方式の映像信号が入力されている場合、映像信号のレベルを下げることにより、投射光の強度を低減するようにしてもよい。
【０１０９】
なお、光の強度の低減や光の遮断の方法は、本発明を限定するものではなく、任意の方法を利用することができる。
【０１１０】
ステップＳ５６において、安全カード１１の現在の位置がスクリーン３２に投射される光の強度のより強いエリア（危険エリア１７２）内ではないと判定された場合、すなわち、安全カード１１を携帯しているのがプロジェクタ１の管理者であり、その管理者が最も光の強度の強い危険エリア１７２にいない場合、プロジェクタ１が投射するレーザー光の強度を低減する必要はないので、手続きは、ステップＳ５１に戻り、制御装置１３またはプロジェクタ１のスイッチがオフにされるまで、上述した処理が繰り返される。
【０１１１】
すなわち、プロジェクタ１を管理する管理者は、たとえ、危険エリア１７２を除く危険エリア１７１にいたとしても、それは、プロジェクタ１の調整のために危険エリア１７１内にいる可能性があるため、投射光の遮断または投射光の強度の低減は行われない。
【０１１２】
危険エリア１７２は、プロジェクタ１が投射するレーザー光の強度が最も強く、危険なエリアであるため、たとえ、プロジェクタ１の管理者だとしても、光の強度を低減する必要がある。
【０１１３】
このようにすることで、管理者は、プロジェクタ１の管理を効率良くできるようになるとともに、危険を回避することができる。
【０１１４】
ステップＳ５７の処理の後、手続きは、ステップＳ５１に戻り、制御装置１３またはプロジェクタ１のスイッチがオフにされるまで、上述した処理が繰り返される。
【０１１５】
なお、危険エリア１７１や危険エリア１７２のように、プロジェクタ１から画像を映し出すために投射される光が通過する領域内において、人間が、光（レーザー光）の強度の強い領域へ進入（侵入）しているか否かを判定するように説明したが、人間が光の強度の強い領域への進入（侵入）の恐れのある領域、すなわち、人間の現在の位置（安全カード１１の現在の位置）が、プロジェクタ１から画像を映し出すために投射される光が通過する領域の周囲の領域内に位置していた場合に、これから人間が光の強度の強い領域への進入（侵入）してしまう可能性があるため、プロジェクタ１が投射する光の強度の低減または光の遮断が実行されるようにしてもよい。
【０１１６】
また、安全カード１１は、上述したようにGPS受信部４７を用いて安全カード１１の現在の位置を算出することもできる。すなわち、安全カード１１は、GPS受信部４７を利用して算出した安全カード１１の現在の位置を示す情報を制御装置１３に送信し、通信装置１４を必要とすることなく、プロジェクタ１が投射する光の強度の低減を行うことができる。これにより、部屋３１のような屋内だけではなく、屋外の広い会場においても本発明を適用することができる。
【０１１７】
以上のように、本発明は、プロジェクタによる画像を見ることが可能な、部屋、所定のインフラストラクチャ、および劇場においても適用することができる。
【０１１８】
また、安全カード１１の識別情報、すなわち、ROM４２に記憶されているID番号を基に、安全カード１１を携帯している人間を識別することができる。また、安全カード１１を携帯するのは人間であるため、光の強度の強い領域に、人間以外のもの（動物やゴミ）が侵入することで、人間への危険性がないにもかかわらず、レーザーのパワーが低減されてしまうことを防ぐことができる。すなわち、人間以外のものに対する誤作動をおこしてしまうことを防ぐことができる。
【０１１９】
さらに、安全カード１１の現在位置（座標）を演算し、特定することができるため、プロジェクタ１からの距離に関係なく、広い劇場や屋外などであっても、安全カード１１を携帯している人間が、光の強度の強い危険なエリアまたは危険なエリアの近傍にいるか否かを確実に判断することができる。これにより、より確実に、スクリーンに投射されている光の強度を低減する必要のある場所にいる人間を検出することができ、人間への強度の強い光の照射を防ぐことができる。
【０１２０】
なお、制御装置１３および通信装置１４、並びに安全カード１１の間における、通信方式は、安全カード１１と制御装置１３との距離および安全カード１１と通信装置１４との距離が算出できれば足り、CDMA通信方式やUWB通信方式に限らず、他の通信方式で通信するようにしてもよい。
【０１２１】
さらにまた、部屋３１において、通信装置１４を２つ以上設置するようにしてもよい。すなわち、安全カード１１は、安全カード１１と制御装置１３との距離および安全カード１１と２つ以上の通信装置１４との距離を算出し、その３つ以上の距離を基に、安全カード１１の現在の位置を演算するようにしてもよい。このとき、当然に、制御装置１３および２つ以上の（全ての）通信装置１４は、同期し、安全カード１１に所定の信号を送信する。
【０１２２】
このように、通信装置１４を複数設けることで、すなわち、例えば、通信装置１４を２つ設けることで、制御装置１３および２つの通信装置１４と安全カード１１との３つの距離を基に、安全カード１１の現在の位置を算出することで、より正確に安全カード１１の位置を特定することができる。すなわち、より正確に（安全カード１１を携帯する）人間の位置を特定することができる。人間の現在の位置をより正確に特定することで、人間が強度の強い光の領域内にいるか否かを正確に判別することができ、プロジェクタ１が投射する強度の強い光が人間に照射されることを防ぐことができる。
【０１２３】
以上のように、安全カード１１を携帯する人間の位置を正確に検出し、その位置が光の強度の強い領域内である場合に、プロジェクタ１が投射する光の強度の低減または光の遮断が実行され、また、強力な赤外線を照明する装置や超高感度のカメラのような大型で高額な装置を必要とすることなく、人間の位置を正確に検出することができる。したがって、人間以外のものに対する誤作動をおこすことなく、より安価な小型の装置で、より確実に人間への強い光の照射を防ぐことができる。
【０１２４】
このように、安全カード１１、制御装置１３、および通信装置１４が通信するようにした場合、データの送受信を行うことができる。人間の位置を演算して検出するようにした場合、人間の現在位置を正確に検出することができる。携帯情報処理装置が、通信装置から送信されてきた、携帯情報処理装置と通信装置との第１の距離を算出させるための第１の無線信号、および表示装置から送信されてきた、携帯情報処理装置と表示装置との第２の距離を算出させるための第２の無線信号を受信し、第１の無線信号を基に第１の距離を算出し、第２の無線信号を基に第２の距離を算出し、第１の距離および第２の距離を基に、携帯情報処理装置の平面上の位置を演算し、携帯情報処理装置の平面上の位置を示す第３の無線信号を表示装置に送信し、通信装置が、携帯情報処理装置と通信装置との第１の距離を算出させるための第１の無線信号を携帯情報処理装置あてに送信し、表示装置が、携帯情報処理装置と表示装置との第２の距離を算出させるための第２の無線信号を携帯情報処理装置あてに送信し、携帯情報処理装置から送信されてきた、携帯情報処理装置の平面上の位置を示す第３の無線信号を受信し、携帯情報処理装置の平面上の位置が、画像を表示させるために投射される光の領域内または光の領域の周囲の領域内である場合、画像を表示させる光の強度の低減を指示するようにした場合には、人間以外のものに対する誤作動をおこすことなく、より確実に人間への強い光の投射を防ぐことができる。
【０１２５】
次に、図１０乃至図１４を参照して、本発明の他の実施の形態について説明する。なお、以下、上述した図３、図８、および図９を、適宜、引用し説明する。
【０１２６】
図１０は、本発明に係る表示制御システムの一実施の形態の他の例を説明する。なお、図１０において、図１と対応する部分には同一の符号を付してあり、図１と対応する部分の説明は、繰り返しとなるので、適宜、省略する。
【０１２７】
図１０で示されるプロジェクタ１は、画像を映し出すために投射する光として、例えば、レーザー光を投射することにより、図２を参照して上述したスクリーン３２に所定の画像を表示させる（映写する）。
【０１２８】
プロジェクタ１が投射する画像およびこの画像とともに再生される音声を視聴する視聴者は、紐１２が設けられている安全カード１１を携帯する。
【０１２９】
安全カード１１は、マイクロ波や所定の光を用いて通信処理を行うICタグなどであり、制御装置１３および通信装置１４あてに、所定の信号を送信する。また、安全カード１１は、例えば、制御装置１３の図示せぬクロックジェネレータおよび通信装置１４の図示せぬクロックジェネレータと同期している、自分（安全カード１１）のクロックジェネレータ４６（図３参照）から出力されるクロックに基づいて、所定の時間毎に、所定の信号を制御装置１３および通信装置１４に送信する。
【０１３０】
通信装置１４は、安全カード１１から送信されてきた信号を受信し、受信した信号を基に、安全カード１１と通信装置１４との距離を算出する。さらに、通信装置１４は、算出した安全カード１１と通信装置１４との距離を示す情報を制御装置１３あてに送信する。
【０１３１】
制御装置１３は、プロジェクタ１に備えられ、例えば、CPUまたは組込型のMPU、または専用ICやクロックジェネレータまたはリアルタイムクロックなどを含んで構成される。制御装置１３は、安全カード１１から送信されてきた信号および通信装置１４から送信されてきた安全カード１１と通信装置１４との距離を示す情報を受信する。制御装置１３は、安全カード１１から送信されてきた信号を基に、安全カード１１と制御装置１３（プロジェクタ１）との距離を算出する。制御装置１３は、算出した安全カード１１と制御装置１３との距離および受信した安全カード１１と通信装置１４との距離を基に、安全カード１１の現在の位置を演算（特定）する。
【０１３２】
例えば、制御装置１３は、制御装置１３（プロジェクタ１）を原点とする２次元の座標であって、制御装置１３、通信装置１４、およびスクリーン３２の位置を基に定める座標上の安全カード１１の位置を演算する。
【０１３３】
さらに、制御装置１３は、演算（特定）した安全カード１１の現在の位置を示す情報を基に、プロジェクタ１が投射しているレーザー光の低減をプロジェクタ１に指示する。より具体的には、制御装置１３は、安全カード１１の現在の位置がレーザー光の強度の強い（光の密度の高い）領域（エリア）内であるか否かを判定する。さらに、制御装置１３は、判定結果を基に、レーザー光の低減を指示する制御信号をプロジェクタ１に出力し、プロジェクタ１を制御する。すなわち、制御装置１３は、判定結果を基に、プロジェクタ１が投射するレーザー光の強度を制御する。
【０１３４】
なお、制御装置１３は、プロジェクタ１が投射するレーザー光の通る領域に隣接する領域であって、レーザー光の通る領域からの距離が所定の値より短い領域に、安全カード１１が位置するか否かを判定し、この判定結果を基に、プロジェクタ１にレーザー光の強度の低減を指示するようにしてもよい。
【０１３５】
また、制御装置１３、通信装置１４、およびスクリーン３２の配置の例は、図２を参照して上述した配置の例と同様であるので、その説明は省略する。
【０１３６】
なお、安全カード１１の構成は、図３を参照して上述した構成と同じであるため、その説明は省略する。
【０１３７】
図１１は、安全カード１１の制御部４１が実行する信号送信プログラム２５１の機能の構成の例を示すブロック図である。信号送信プログラム２５１は、送信制御部２６１を含むように構成される。
【０１３８】
送信制御部２６１は、制御装置１３および通信装置１４と同期している、日時（を示すデータ）などを出力する図示せぬクロックジェネレータ４６などを用いて、例えば、送信部４５による、制御装置１３および通信装置１４への送信時刻および安全カード１１の識別情報であるROM４２（図３参照）に記憶されているID番号を含む信号であって、制御装置１３および通信装置１４に安全カード１１との距離を算出させるための送信を制御する。送信制御部２６１は、予め定めた時間毎に、送信部４５に信号を送信させる。
【０１３９】
なお、制御装置１３および通信装置１４、並びに安全カード１１における通信方式は、例えば、CDMA通信方式またはUWB通信方式などが利用できる。
【０１４０】
図１２は、通信装置１４の機能の構成の他の例を示すブロック図である。通信装置１４は、受信部２８１、受信制御部２８２、距離算出部２８３、送信制御部２８４、および送信部２８５を含むように構成される。
【０１４１】
受信部２８１は、受信制御部２８２の制御の基、安全カード１１から送信されてきた、安全カード１１との距離を算出させるための信号を受信する。
【０１４２】
受信制御部２８２は、受信部２８１による、安全カード１１から送信されてきた、安全カード１１との距離を算出させるための信号の受信を制御する。受信制御部２８２は、また、受信した信号を距離算出部２８３に供給する。
【０１４３】
距離算出部２８３は、距離算出部７２と同様の処理で、受信制御部２８２から供給された信号を基に、安全カード１１と通信装置１４との距離を算出する。距離算出部２８３は、算出した安全カード１１と通信装置１４との距離を送信制御部２８４に供給する。
【０１４４】
送信制御部２８４は、送信部２８５による、制御装置１３への安全カード１１と通信装置１４との距離を示す情報の送信を制御する。
【０１４５】
送信部２８５は、送信制御部２８４の制御の基、安全カード１１と通信装置１４との距離を示す情報を制御装置１３に送信する。
【０１４６】
図１３は、制御装置１３の機能の構成の他の例を示すブロック図である。制御装置１３は、受信部３０１、受信制御部３０２、距離算出部３０３、位置演算部３０４、識別情報判定部９５、エリア判定部９６、および低減指示部９７を含むように構成される。なお、図１３においては、図５と対応する部分には同一の符号を付してあり、図５と対応する部分の説明は、繰り返しとなるので、適宜、省略する。
【０１４７】
受信部３０１は、受信制御部３０２の制御の基、安全カード１１から送信されてきた、安全カード１１との距離を算出させるための信号および通信装置１４から送信されてきた、安全カード１１と通信装置１４との距離を示す情報を受信する。
【０１４８】
受信制御部３０２は、受信部３０１による、安全カード１１から送信されてきた安全カード１１との距離を算出させるための信号、および通信装置１４から送信されてきた安全カード１１と通信装置１４との距離を示す情報の受信を制御する。また、受信制御部３０２は、安全カード１１から送信されてきた、安全カード１１との距離を算出させるための信号を距離算出部３０３に供給し、通信装置１４から送信されてきた安全カード１１と通信装置１４との距離を位置演算部３０４に供給し、安全カード１１から送信されてきた信号に含まれる安全カード１１の識別情報（ID番号）を識別情報判定部９５に供給する。
【０１４９】
距離算出部３０３は、距離算出部７２と同様の処理で、受信制御部３０２から供給された信号を基に、安全カード１１と制御装置１３（プロジェクタ１）との距離を算出する。距離算出部３０３は、算出した安全カード１１と制御装置１３との距離を位置演算部３０４に供給する。
【０１５０】
位置演算部３０４は、位置演算部７３と同様の処理で、予め記憶している制御装置１３および通信装置１４の位置、並びに受信制御部３０２から供給された安全カード１１と通信装置１４との距離および距離算出部３０３から供給された安全カード１１と制御装置１３との距離を基に、安全カード１１の現在の位置（２次元の座標上の位置）を演算（特定）する。また、位置演算部３０４は、演算した安全カード１１の現在の位置を示す情報をエリア判定部９６に供給する。
【０１５１】
図１４のフローチャートを参照して、安全カード１１、制御装置１３、および通信装置１４による、表示制御システムの処理である、信号送信プログラム２５１を実行する安全カード１１による信号の送信の処理、通信装置１４による信号の送信の処理、および制御装置１３による低減の指示の処理を説明する。この表示制御システムの処理は、プロジェクタ１がスクリーン３２の投射エリア３３に、例えば、レーザー光を投射することで、所定の画像（映像）をスクリーン３２に表示している間、繰り返し実行される。
【０１５２】
なお、安全カード１１と通信装置１４との距離および安全カード１１と制御装置１３との距離を説明する図８、および強い強度の光が照射される領域である危険エリアを説明する図９を参照しながら、処理を説明する。
【０１５３】
ステップＳ１０１において、安全カード１１の送信部４５は、送信制御部２６１の制御の基、通信装置１４および制御装置１３あてに、安全カード１１との距離を算出させるための信号を送信する。この信号には、例えば、安全カード１１の識別情報であるID番号および信号を送信した送信時刻が含まれる。
【０１５４】
ステップＳ１０１の処理の後、手続きは、ステップＳ１０１に戻り、安全カード１１のスイッチがオフにされるまで、予め定めた期間毎に、上述した処理が繰り返される。
【０１５５】
ステップＳ１３１において、通信装置１４の受信部２８１は、受信制御部２８２の制御の基、ステップＳ１０１の処理により安全カード１１から送信されてきた、安全カード１１との距離を算出させるための信号を受信する。
【０１５６】
ステップＳ１５１において、制御装置１３の受信部３０１は、受信制御部３０２の制御の基、ステップＳ１０１の処理により安全カード１１から送信された、安全カード１１との距離を算出させるための信号を受信する。
【０１５７】
ステップＳ１３２において、通信装置１４の距離算出部２８３は、ステップＳ１３１の処理により受信された信号を基に、安全カード１１と通信装置１４との距離１５１（図８参照）を算出する。例えば、安全カード１１のクロックジェネレータ４６と通信装置１４の図示せぬクロックジェネレータが同期し、所定の時間の間隔をおいて安全カード１１が通信装置１４に、安全カード１１との距離を算出させるための信号、すなわち、安全カード１１と通信装置１４との距離を算出させるための信号を送信することが予め設定されている場合、距離算出部２８３は、通信装置１４の図示せぬクロックジェネレータが出力する所定のクロックを基準信号とし、基準信号であるクロックからどれくらい遅延したか、すなわち、その基準信号であるクロックからそのクロックに同期している安全カード１１が送信した信号を通信装置１４が受信するまでにかかった時間を算出する。距離算出部２８３は、算出された時間に、予め通信装置１４に記録されている信号の速度を乗算することにより、図８で示される安全カード１１と通信装置１４との距離１５１を算出する。
【０１５８】
具体的には、例えば、安全カード１１が送信した信号が、通信装置１４の図示せぬクロックジェネレータが出力する基準信号であるクロックより５０ｎsec（nano second）遅れて、通信装置１４に受信された場合、５０×１０-9（ｓ）×０．３×１０9（ｍ/ｓ）より、安全カード１１と通信装置１４との距離１５１は、１５ｍとされる。ここで、安全カード１１が送信する信号の速度は、光の速度と等しいものとする。
【０１５９】
なお、ステップＳ１３２の処理において、通信装置１４の距離算出部２８３は、ステップＳ１３１の処理により受信された信号に送信時刻が含まれている場合、ステップＳ１３１の処理により受信された信号に含まれる送信時刻と、通信装置１４がその信号を受信した受信時刻との差、すなわち、安全カード１１から送信された、安全カード１１との距離を算出させるための信号が通信装置１４に受信されるまでにかかった時間および予め通信装置１４に記録されている（安全カード１１が送信した）信号の速度（＝光の速度）を基に、距離１５１を算出するようにしてもよい。
【０１６０】
ステップＳ１３３において、通信装置１４の送信部２８５は、送信制御部２８４の制御の基、ステップＳ１３２の処理により算出された安全カード１１と通信装置１４との距離１５１を示す情報を制御装置１３あてに送信する。
【０１６１】
ステップＳ１３３の処理の後、手続きは、ステップＳ１３１に戻り、通信装置１４のスイッチがオフにされるまで、上述した処理が繰り返される。
【０１６２】
ステップＳ１５２において、制御装置１４の受信部３０１は、受信制御部３０２の制御の基、ステップＳ１３３の処理により通信装置１４から送信された、安全カード１１と通信装置１４との距離１５１を示す情報を受信する。
【０１６３】
ステップＳ１５３において、制御装置１３の距離算出部３０３は、安全カード１１と制御装置１３（プロジェクタ１）との距離１５２を算出する。すなわち、例えば、ステップＳ１３２の処理で上述したのと同様に、制御装置１３の図示せぬクロックジェネレータが出力する基準信号であるクロックから安全カード１１が送信した信号を制御装置１３が受信するまでにかかった時間および予め制御装置１３に記録されている（安全カード１１が送信した）信号の速度（＝光の速度）を基に、図８で示される安全カード１１と制御装置１３との距離１５２が算出される。
【０１６４】
なお、上述したステップＳ１３２の処理と同様に、ステップＳ１５３の処理において、安全カード１１の距離算出部３０３は、ステップＳ１５１の処理により受信された信号に送信時刻が含まれている場合、ステップＳ１５１の処理により受信された信号に含まれる送信時刻と、制御装置１３がその信号を受信した受信時刻との差、すなわち、安全カード１１から送信された安全カード１１との距離を算出させるための信号が制御装置１３に受信されるまでにかかった時間および予め制御装置１３に記録されている（安全カード１１が送信した）信号の速度（＝光の速度）を基に、距離１５２を算出するようにしてもよい。
【０１６５】
ステップＳ１５４において、制御装置１３の位置演算部３０４は、安全カード１１の現在の位置（２次元の座標上の位置）を演算（特定）する。例えば、位置演算部３０４は、ステップＳ１５４において、図８で示されるように、ステップＳ１５２の処理により受信された安全カード１１と通信装置１４との距離１５１が半径とされ、通信装置１４が中心とされる円１６１およびステップＳ１５３の処理により算出された安全カード１１と制御装置１３との距離１５２が半径とされ、制御装置１３（プロジェクタ１）が中心とされる円１６２を基に、安全カード１１の現在の位置を演算する。すなわち、円１６１と円１６２との交点が安全カード１１の現在の位置（２次元の座標上の位置）として演算（特定）される。
【０１６６】
なお、図８で示されるように、部屋３１の外にも円１６１と円１６２とによる交点が存在するが、上述したように、例えば、部屋３１内において、制御装置１３（プロジェクタ１）を原点とする２次元の座標であって、制御装置１３、通信装置１４、およびスクリーン３２の位置を基に定める座標上の安全カード１１の位置が演算される場合、部屋３１の外の位置、すなわち、部屋３１の外にある円１６１と円１６２とによる交点は除外され、部屋３１内における、円１６１と円１６２との交点による安全カード１１の位置、すなわち、安全カード１１を携帯している人間の位置は、図８で示される安全カード１１の位置とされる。
【０１６７】
ステップＳ１５５乃至ステップＳ１５９のそれぞれの処理は、図７を参照して上述したステップＳ５３乃至ステップＳ５７のそれぞれの処理と同様の処理であるため、その説明は省略する。
【０１６８】
なお、ステップＳ１５６において、制御装置１３のエリア判定部９６が、安全カード１１の現在の位置がスクリーン３２に投射される光の強度の強いエリア（図９で示される危険エリア１７１）ではないと判定した場合、手続きは、ステップＳ１５１に戻り、制御装置１３またはプロジェクタ１のスイッチがオフにされるまで、上述した処理が繰り返される。
【０１６９】
また、ステップＳ１５７の処理の後、手続きは、ステップＳ１５１に戻り、制御装置１３またはプロジェクタ１のスイッチがオフにされるまで、上述した処理が繰り返される。
【０１７０】
ステップＳ１５８において、制御装置１３のエリア判定部９６が、安全カード１１の現在の位置がスクリーン３２に投射される光の強度のより強いエリア（図９で示される危険エリア１７２）ではないと判定した場合、手続きは、ステップＳ１５１に戻り、制御装置１３またはプロジェクタ１のスイッチがオフにされるまで、上述した処理が繰り返される。
【０１７１】
また、ステップＳ１５９の処理の後、手続きは、ステップＳ１５１に戻り、制御装置１３またはプロジェクタ１のスイッチがオフにされるまで、上述した処理が繰り返される。
【０１７２】
なお、危険エリア１７１や危険エリア１７２のように、プロジェクタ１から画像を映し出すために投射される光が通過する領域内において、人間が、光（レーザー光）の強度の強い領域へ進入（侵入）しているか否かを判定するように説明したが、人間が光の強度の強い領域への進入（侵入）の恐れのある領域、すなわち、人間の現在の位置（安全カード１１の現在の位置）が、プロジェクタ１から画像を映し出すために投射される光が通過する領域の周囲の領域内に位置していた場合に、これから人間が光の強度の強い領域への進入（侵入）してしまう可能性があるため、プロジェクタ１が投射する光の強度の低減または光の遮断が実行されるようにしてもよい。
【０１７３】
以上のように、本発明は、プロジェクタによる画像を見ることが可能な、部屋、所定のインフラストラクチャ、および劇場においても適用することができる。
【０１７４】
また、図１０乃至図１４を参照して説明した実施の形態においても、安全カード１１の識別情報、すなわち、ROM４２に記憶されているID番号を基に、安全カード１１を携帯している人間を識別することができる。また、安全カード１１を携帯するのは人間であるため、光の強度の強い領域に、人間以外のもの（動物やゴミ）が侵入することで、人間への危険性がないにもかかわらず、レーザーのパワーが低減されてしまうことを防ぐことができる。すなわち、人間以外のものに対する誤作動をおこしてしまうことを防ぐことができる。
【０１７５】
さらに、安全カード１１の現在位置（座標）を演算し、特定することができるため、プロジェクタ１からの距離に関係なく、広い劇場や屋外などであっても、安全カード１１を携帯している人間が、光の強度の強い危険なエリアまたは危険なエリアの近傍にいるか否かを確実に判断することができる。これにより、より確実に、スクリーンに投射されている光の強度を低減する必要のある場所にいる人間を検出することができ、人間への強度の強い光の照射を防ぐことができる。
【０１７６】
なお、制御装置１３および通信装置１４、並びに安全カード１１の間における、通信方式は、安全カード１１と制御装置１３との距離および安全カード１１と通信装置１４との距離が算出できれば足り、CDMA通信方式やUWB通信方式に限らず、他の通信方式で通信するようにしてもよい。
【０１７７】
さらにまた、部屋３１において、通信装置１４を２つ以上設置するようにしてもよい。すなわち、安全カード１１は、安全カード１１との距離を算出させるための信号を、制御装置１３と２つ以上の通信装置１４に送信し、制御装置１３は、安全カード１１と制御装置１３との距離を算出し、２つ以上の通信装置１４は、それぞれの通信装置１４が、安全カード１１と自分（個々の通信装置１４）との距離を算出し、その３つ以上の距離を基に、制御装置１３が、安全カード１１の現在の位置を演算するようにしてもよい。このとき、当然に、安全カード１１、制御装置１３および２つ以上の（全ての）通信装置１４は、同期し、安全カード１１は、制御装置１３および２つ以上の（全ての）通信装置１４に所定の信号を送信する。
【０１７８】
このように、通信装置１４を複数設けることで、すなわち、例えば、通信装置１４を２つ設けることで、制御装置１３および２つの通信装置１４と安全カード１１との３つの距離を基に、安全カード１１の現在の位置を算出することで、より正確に安全カード１１の位置を特定することができる。すなわち、より正確に（安全カード１１を携帯する）人間の位置を特定することができる。人間の現在の位置をより正確に特定することで、人間が強度の強い光の領域内にいるか否かを正確に判断することができ、プロジェクタ１が投射する強度の強い光が人間に照射されることを防ぐことができる。
【０１７９】
以上のように、図１０乃至図１４を参照して説明した実施の形態においても、安全カード１１を携帯する人間の位置を正確に検出し、その位置が光の強度の強い領域内である場合に、プロジェクタ１が投射する光の強度の低減または光の遮断が実行され、また、強力な赤外線を照明する装置や超高感度のカメラのような大型で高額な装置を必要とすることなく、人間の位置を正確に検出することができる。したがって、人間以外のものに対する誤作動をおこすことなく、より安価な小型の装置で、より確実に人間への強い光の照射を防ぐことができる。
【０１８０】
このように、安全カード１１、制御装置１３、および通信装置１４が通信するようにした場合、データの送受信を行うことができる。人間の位置を演算して検出するようにした場合、人間の現在位置を正確に検出することができる。携帯情報処理装置が、通信装置および表示装置あてに、携帯情報処理装置との距離を算出させるための第１の無線信号を送信し、通信装置が、携帯情報処理装置から送信されてきた第１の無線信号を受信し、第１の無線信号を基に、携帯情報処理装置と通信装置との第１の距離を算出し、第１の距離を示す第２の無線信号を表示装置あてに送信し、表示装置が、携帯情報処理装置から送信されてきた第１の無線信号および通信装置から送信されてきた携帯情報処理装置と通信装置との第１の距離を示す第２の無線信号を受信し、第１の無線信号を基に、携帯情報処理装置と表示装置との第２の距離を算出し、第１の距離および第２の距離を基に、携帯情報処理装置の平面上の位置を演算し、携帯情報処理装置の平面上の位置が、画像を表示させるために投射される光の領域内または光の領域の周囲の領域内である場合、画像を表示させる光の強度の低減を指示するようにした場合には、人間以外のものに対する誤作動をおこすことなく、より確実に人間への強い光の投射を防ぐことができる。
【０１８１】
次に、図１５乃至図２０を参照して、本発明のさらに他の実施の形態について説明する。以下、上述した図３、図４、および図６を、適宜、引用し説明する。
【０１８２】
図１５は、本発明に係る表示制御システムを用いた部屋３１における、安全カード４０１−１乃至４０１−４、制御装置１３、および通信装置１４の配置の例を示す図である。なお、図１５において、図２と対応する部分には同一の符号を付してあり、図２と対応する部分の説明は、繰り返しとなるので、省略する。
【０１８３】
スクリーン３２の上方向の左右の角には、安全カード４０１−１および安全カード４０１−２が設けられている。図１６で示されるように、スクリーン３２の四隅には、安全カード４０１−１乃至４０１−４のそれぞれが設けられている。
【０１８４】
なお、安全カード４０１−１乃至４０１−４のそれぞれは、上述した安全カード１１と同様に構成されるので、その説明は省略する。また、図３および図４で示される安全カード１１の構成を、安全カード４０１−１乃至４０１−４のそれぞれの構成として、適宜、引用する。
【０１８５】
安全カード４０１−１乃至４０１−４のそれぞれは、マイクロ波や所定の光を用いて通信処理を行うICタグなどであり、制御装置１３および通信装置１４から所定の時間差で送信される所定の信号を受信する。また、安全カード４０１−１乃至４０１−４のそれぞれは、制御装置１３および通信装置１４から送信されてきた信号を基に、安全カード４０１−１乃至４０１−４のそれぞれと制御装置１３（プロジェクタ１）との距離および安全カード４０１−１乃至４０１−４のそれぞれと通信装置１４との距離を算出し、自分（安全カード４０１−１乃至４０１−４のそれぞれ）の現在の位置を演算（特定）する。さらに、安全カード４０１−１乃至４０１−４のそれぞれは、自分自身の現在の位置を示す情報を制御装置１３に送信する。
【０１８６】
重複して説明すると、例えば、安全カード４０１−１は、制御装置１３および通信装置１４から送信されてきた信号を基に、安全カード４０１−１と制御装置１３（プロジェクタ１）との距離および安全カード４０１−１と通信装置１４との距離を算出し、自分（安全カード４０１−１）の現在の位置を演算（特定）する。さらに、安全カード４０１−１は、自分自身の現在の位置を示す情報を制御装置１３に送信する。
【０１８７】
また、例えば、安全カード４０１−１乃至４０１−４のそれぞれは、制御装置１３（プロジェクタ１）を原点とする２次元の座標であって、制御装置１３、通信装置１４、およびスクリーン３２の位置を基に定める座標上の自分（安全カード４０１−１乃至４０１−４のそれぞれ）の位置を演算する。
【０１８８】
制御装置１３は、例えば、安全カード４０１−１乃至４０１−４のそれぞれのクロックジェネレータ４６および通信装置１４のクロックジェネレータと同期している、自分（制御装置１３）のクロックジェネレータから出力されるクロックに基づいて、通信装置１４の信号の送信と所定の時間をおいて（所定の時間差で）、所定の信号を安全カード４０１−１乃至４０１−４のそれぞれに送信する。
【０１８９】
さらに、制御装置１３は、安全カード４０１−１乃至４０１−４のそれぞれから送信されてきた、安全カード４０１−１乃至４０１−４のそれぞれの現在の位置を示す情報を基に、プロジェクタ１にスクリーン３２へのレーザー光の投射を許可（指示）する。より具体的には、制御装置１３は、安全カード４０１−１乃至４０１−４のそれぞれの現在の位置が、プロジェクタ１がレーザー光を投射する方向（スクリーン３２の方向）にあるか否かを判定する。さらに、制御装置１３は、判定結果を基に、レーザー光の投射を許可する制御信号をプロジェクタ１に出力し、プロジェクタ１のレーザーの投射を制御する。すなわち、制御装置１３は、判定結果を基に、レーザー光の投射の許可または不許可（レーザー光の遮断）をプロジェクタ１に指示する。
【０１９０】
通信装置１４は、例えば、安全カード４０１−１乃至４０１−４のそれぞれのクロックジェネレータ４６および制御装置１３のクロックジェネレータと同期している、自分（通信装置１４）のクロックジェネレータから出力されるクロックに基づいて、制御装置１３と所定の時間差で、所定の信号を安全カード４０１−１乃至４０１−４のそれぞれに送信する。
【０１９１】
以下、安全カード４０１−１乃至４０１−４を、個々に区別する必要がないとき、単に安全カード４０１と称する。
【０１９２】
図１７は、制御装置１３の機能の構成の他の例を示すブロック図である。制御装置１３は、送信部９１、送信制御部９２、受信部９３、受信制御部９４、判定部４１１、および投射許可部４１２を含むように構成される。なお、図１７において、図５と対応する部分には同一の符号を付してあり、図５と対応する部分の説明は、繰り返しとなるので、適宜、省略する。
【０１９３】
受信制御部９４は、受信部９３による、安全カード４０１から送信されてきた安全カード４０１の現在の位置を示す情報および安全カード４０１の識別情報の受信を制御する。また、受信制御部９４は、受信した安全カード４０１の識別情報および安全カード４０１の現在の位置を示す情報（２次元の座標上の位置）を判定部４１１に供給する。
【０１９４】
判定部４１１は、受信制御部９４から供給された安全カード４０１の識別情報、すなわち、安全カード４０１のID番号を基に、安全カード４０１を識別し、全ての安全カード４０１（安全カード４０１−１乃至４０１−４）の識別情報（ID番号）を受信したか否かを判定する。また、判定部４１１は、全ての安全カード４０１の識別情報を受信したと判定した場合、全ての安全カード４０１の現在の位置（座標）を示す情報を基に、全ての安全カード４０１の現在の位置が予め定めされている範囲（距離）内にあるか否かを判定する。判定部４１１は、全ての安全カード４０１が予め定められている範囲（距離）内である否かの判定結果を投射許可部４１２に供給する。
【０１９５】
投射許可部４１２は、判定部４１１から全ての安全カード４０１の現在の位置が予め記録されている範囲（距離）内に存在することを示す判定結果が供給された場合、レーザー光の投射を許可（指示）する制御信号をプロジェクタ１に供給することで、プロジェクタ１に、画像を表示させるレーザー光の投射を許可（指示）する（レーザー光を投射させる）。
【０１９６】
通信装置１４の機能の構成は、図６を参照した構成と同様であるので、その説明は、省略する。
【０１９７】
図１８のフローチャートを参照して、通信装置１４による信号の送信の処理、制御装置１３による位置を示す情報および識別情報の受信の処理、並びに位置特定プログラム６１を実行する安全カード４０１による位置特定の処理を説明する。なお、この処理は、ユーザが、プロジェクタ１における光（画像）の投射を指示するスイッチをオンにすることで開始される。また、この処理は、プロジェクタ１がレーザー光を投射することで、スクリーン３２に所定の画像（映像）を表示している間、繰り返し実行される。
【０１９８】
なお、安全カード４０１と通信装置１４との距離および安全カード４０１と制御装置１３との距離を説明する図１９を参照しながら、処理を説明する。
【０１９９】
ステップＳ３０１において、通信装置１４の送信部１１１は、送信制御部１１２の制御の基、安全カード４０１−１乃至４０１−４のそれぞれあてに、安全カード４０１−１乃至４０１−４のそれぞれと通信装置１４との距離を（安全カード４０１−１乃至４０１−４のそれぞれに）算出させるための信号を送信する。この信号には、例えば、通信装置１４を識別するための識別情報および信号を送信した送信時刻が含まれている。
【０２００】
ステップＳ３０１の処理の後、ステップＳ１に戻り、通信装置１４のスイッチがオフにされるまで、予め定めた期間毎に、上述した処理が繰り返される。
【０２０１】
ステップＳ３３１において、安全カード４０１−１乃至４０１−４のそれぞれの受信部４４は、安全カード４０１−１乃至４０１−４のそれぞれの受信制御部７１の制御の基、ステップＳ３０１の処理において通信装置１４から送信されてきた安全カード４０１−１乃至４０１−４のそれぞれと通信装置１４との距離を算出させるための信号を受信する。
【０２０２】
ステップＳ３５１において、制御装置１３の送信部９１は、送信制御部９２の制御の基、安全カード４０１−１乃至４０１−４のそれぞれあてに、安全カード４０１−１乃至４０１−４のそれぞれと制御装置１３（プロジェクタ１）との距離を（安全カード４０１に）算出させるための信号を送信する。この信号には、例えば、制御装置１３を識別するための識別情報および信号を送信した送信時刻が含まれている。
【０２０３】
通信装置１４および制御装置１３は、例えば、図示せぬそれぞれのクロックジェネレータが出力するクロックに基づいて同期している。通信装置１４によるステップＳ３０１の処理および制御装置１３によるステップＳ３５１の処理は、所定の時間差をおいて実行される。すなわち、通信装置１４がステップＳ３０１の処理において、安全カード４０１−１乃至４０１−４のそれぞれあてに信号を送信した後に、例えば、１ｍｓｅｃ後に、制御装置１３がステップＳ３５１の処理において、安全カード４０１−１乃至４０１−４のそれぞれあてに信号を送信する。
【０２０４】
ここで、ステップＳ３０１の処理における通信装置１４による信号の送信の処理およびステップＳ３５１の処理における制御装置１３による信号の送信の処理の間に所定の時間（時間差）を設けるのは、通信装置１４および制御装置１３のそれぞれが送信した２つの信号が安全カード４０１付近で干渉しあうことを防ぐためである。すなわち、例えば、安全カード４０１−１と通信装置１４との距離および安全カード４０１−１と制御装置１３との距離が等しい場合に、通信装置１４および制御装置１３が同時にそれぞれの信号を安全カード４０１−１あてに送信してしまうことで、２つの信号が同時に安全カード４０１−１に到着することにより、２つの信号が安全カード４０１−１付近で干渉し合うことを防ぐためである。
【０２０５】
この時間差は、この干渉が生じない範囲で、できるだけ小さくすることが好ましい。
【０２０６】
ステップＳ３３２において、安全カード４０１−１乃至４０１−４のそれぞれの受信部４４は、受信制御部７１の制御の基、ステップＳ３５１の処理により制御装置１３から送信された安全カード４０１と制御装置１３（プロジェクタ１）との距離を算出させるための信号を受信する。
【０２０７】
ステップＳ３３３において、安全カード４０１−１乃至４０１−４のそれぞれの距離算出部７２は、ステップＳ３３１の処理により受信された信号を基に、安全カード４０１−１乃至４０１−４のそれぞれと通信装置１４との距離４２１（図１９参照）を算出する。例えば、安全カード４０１−１のクロックジェネレータ４６と通信装置１４の図示せぬクロックジェネレータが同期し、所定の時間の間隔をおいて通信装置１４が安全カード４０１−１に、安全カード４０１−１と通信装置１４との距離を算出させるための信号を送信することが予め設定されている場合、距離算出部７２は、安全カード４０１−１のクロックジェネレータ４６が出力する所定のクロックを基準信号とし、基準信号であるクロックからどれくらい遅延したか、すなわち、その基準信号であるクロックからそのクロックに同期している通信装置１４が送信した信号を安全カード４０１−１が受信するまでにかかった時間を算出する。距離算出部７２は、算出された時間に、予め安全カード４０１−１に記録されている信号の速度を乗算することにより、図１９で示される安全カード４０１−１と通信装置１４との距離４２１を算出する。
【０２０８】
具体的には、例えば、通信装置１４が送信した信号が、安全カード４０１−１のクロックジェネレータ４６が出力する基準信号であるクロックより５０ｎsec（nano second）遅れて、安全カード４０１−１に受信された場合、５０×１０-9（ｓ）×０．３×１０9（ｍ/ｓ）より、安全カード４０１−１と通信装置１４との距離４２１は、１５ｍとされる。ここで、通信装置１４が送信する信号の速度は、光の速度と等しいものとする。
【０２０９】
なお、ステップＳ３３３の処理において、安全カード４０１−１乃至４０１−４のそれぞれの距離算出部７２は、ステップＳ３３１の処理により受信された信号に送信時刻が含まれている場合、ステップＳ３３１の処理により受信された信号に含まれる送信時刻と、安全カード４０１がその信号を受信した受信時刻との差、すなわち、通信装置１４から送信された安全カード４０１と通信装置１４との距離を算出させるための信号が安全カード４０１に受信されるまでにかかった時間および予め安全カード４０１に記録されている（通信装置１４が送信した）信号の速度（＝光の速度）を基に、距離４２１を算出するようにしてもよい。
【０２１０】
ステップＳ３３４において、安全カード４０１−１乃至４０１−４のそれぞれの距離算出部７２は、安全カード４０１−１乃至４０１−４のそれぞれと制御装置１３（プロジェクタ１）との距離４２２（図１９参照）を算出する。すなわち、例えば、ステップＳ３３３の処理で上述したのと同様に、安全カード４０１−１のクロックジェネレータ４６が出力する基準信号であるクロックから制御装置１３が送信した信号を安全カード４０１−１が受信するまでにかかった時間および予め安全カード４０１−１に記録されている（制御装置１３が送信した）信号の速度（＝光の速度）を基に、図１９で示される安全カード４０１−１と制御装置１３との距離４２２が算出される。
【０２１１】
なお、上述したステップＳ３３３の処理と同様に、ステップＳ３３４の処理において、安全カード４０１の距離算出部７２は、ステップＳ３３２の処理により受信された信号に送信時刻が含まれている場合、ステップＳ３３２の処理により受信された信号に含まれる送信時刻と、安全カード４０１がその信号を受信した受信時刻との差、すなわち、制御装置１３から送信された安全カード４０１と制御装置１３との距離を算出させるための信号が安全カード４０１に受信されるまでにかかった時間および予め安全カード４０１に記録されている（制御装置１３が送信した）信号の速度（＝光の速度）を基に、距離４２２を算出するようにしてもよい。
【０２１２】
ステップＳ３３５において、安全カード４０１−１乃至４０１−４のそれぞれの位置演算部７３は、安全カード４０１−１乃至４０１−４のそれぞれの現在の位置（２次元の座標上の位置）を演算（特定）する。例えば、安全カード４０１−１の位置演算部７３は、ステップＳ３３５において、予め記憶している制御装置１３の位置および通信装置１４の位置を参照して、図１９で示されるように、ステップＳ３３３の処理により算出された安全カード４０１−１と通信装置１４との距離４２１が半径とされ、通信装置１４が中心とされる円４３１およびステップＳ３３４の処理により算出された安全カード４０１−１と制御装置１３との距離４２２が半径とされ、制御装置１３（プロジェクタ１）が中心とされる円４３２を基に、安全カード４０１−１の現在の位置を演算する。すなわち、円４３１と円４３２との交点が安全カード４０１−１の現在の位置（２次元の座標上の位置）として演算（特定）される。
【０２１３】
なお、部屋３１の外にも円４３１と円４３２とによる交点（図示なし）が存在するが、部屋３１の壁際に設置されている制御装置１３および通信装置１４によって送信される信号の方向（信号の送信範囲）を、例えば、プロジェクタ１がレーザー光を投射する範囲（方向）のみにすることで、部屋３１の外の円４３１と円４３２との交点は除外される。これにより、円４３１と円４３２との交点による安全カード４０１−１の位置は、図１９で示される安全カード４０１−１の位置とされ、部屋３１の外に存在する交点の位置とされることはない。
【０２１４】
ステップＳ３３６において、安全カード４０１−１乃至４０１−４のそれぞれの送信部４５は、安全カード４０１−１乃至４０１−４のそれぞれの送信制御部７４の制御の基、ステップＳ３３５の処理により演算された安全カード４０１−１乃至４０１−４のそれぞれの現在の位置を示す情報および安全カード４０１−１乃至４０１−４のそれぞれの識別情報、すなわち、安全カード４０１−１乃至４０１−４のそれぞれのROM４２に記憶されているID番号を制御装置１３あてに送信する。
【０２１５】
ステップＳ３３６の処理の後、手続きは、ステップＳ３３１に戻り、上述した処理が繰り返される。
【０２１６】
ステップＳ３５２において、制御装置１３の受信部９３は、受信制御部９４の制御の基、ステップＳ３３６の処理により安全カード４０１−１乃至４０１−４のそれぞれから送信された、安全カード４０１−１乃至４０１−４のそれぞれの現在の位置を示す情報および安全カード４０１−１乃至４０１−４のそれぞれの識別情報（ID番号）を受信する。
【０２１７】
ステップＳ３５２の処理の後、手続きは、ステップＳ３５１に戻り、制御装置１３またはプロジェクタ１のスイッチがオフにされるまで、繰り返される。
【０２１８】
次に、図２０のフローチャートを参照して、制御装置１３による投射の許可の処理を説明する。この処理は、制御装置１３またはプロジェクタ１のスイッチがオンにされるとともに開始され、制御装置１３またはプロジェクタ１のスイッチがオンにされている間、繰り返し実行される。
【０２１９】
ステップＳ３８１において、判定部４１１は、予め設定された所定の時間内にスクリーン３２上の全ての安全カード４０１（安全カード４０１−１乃至４０１−４）の識別情報を受信したか否かを判定する。
【０２２０】
ここで、所定の時間内に安全カード４０１−１乃至４０１−４の識別情報を受信するか否か判定するのは、制御装置１３または通信装置１４、もしくは制御装置１３および通信装置１４から送信される信号が、全ての安全カード４０１において、受信されているか否か、すなわち、プロジェクタ１（制御装置１３）がレーザー光を投射する方向に、全ての安全カード４０１が配置されているか否かを判定するためである。
【０２２１】
図１８のフローチャートを参照して上述したように、安全カード４０１−１乃至４０１−４のそれぞれは、制御装置１３および通信装置１４から安全カード４０１−１乃至４０１−４のそれぞれに定期的に送信される信号を基に、自分（安全カード４０１−１乃至４０１−４のそれぞれ）の位置を演算し、その位置を示す情報を制御装置１３に送信する。
【０２２２】
したがって、このとき、制御装置１３が全ての安全カード４０１の位置を示す情報を所定の時間内に受信することができないということは、制御装置１３または通信装置１４、もしくは制御装置１３および通信装置１４から送信される信号が、全ての安全カード４０１において受信されていないことになる。これにより、プロジェクタ１（制御装置１３）がレーザー光を投射する方向に、全ての安全カード４０１が配置されているか否かを判定することができる。
【０２２３】
なお、安全カード４０１の個数は、１個でも良い。
【０２２４】
ステップＳ３８１において、予め設定された所定の時間内にスクリーン３２上の全ての安全カード４０１の識別情報を受信したと判定された場合、ステップＳ３８２に進み、判定部４１１は、図１８のステップＳ３５２の処理で受信された全ての安全カード４０１の現在の位置が、予め設定されている安全カード４０１とプロジェクタ１との距離の許容範囲内にあるか否かを判定する。
【０２２５】
ここで、安全カード４０１とプロジェクタ１との距離の許容範囲とは、例えば、プロジェクタ１とプロジェクタ１がレーザー光を投射するスクリーン３２との距離であって、プロジェクタ１がスクリーン３２内に画像を表示させることが可能である距離（領域）を示す。例えば、プロジェクタ１が投射するレーザー光によって、表示される画像がスクリーン３２から食み出すように、プロジェクタ１が配置されている場合、安全カード４０１−１乃至４０１−４のいずれかの位置が、安全カード４０１とプロジェクタ１との距離の許容範囲内にない（プロジェクタ１が正確にスクリーン３２の方向を向いていない）ことになる。
【０２２６】
なお、この安全カード４０１とプロジェクタ１との距離の許容範囲は、プロジェクタ１に設けられるズーム機能に応じて変化するようにしてもよい。
【０２２７】
ステップＳ３８２において、全ての安全カード４０１の現在の位置が、予め設定されている安全カード４０１とプロジェクタ１との距離の許容範囲内にあると判定された場合、プロジェクタ１が正確にスクリーン３２の方向を向いているので、ステップＳ３８３に進み、投射許可部４１２は、プロジェクタ１に光（レーザー光）の投射を許可する。プロジェクタ１は、制御装置１３からレーザー光の投射が許可されると、レーザー光を投射する。
【０２２８】
ステップＳ３８３の処理の後、手続きは、ステップＳ３８１に戻り、制御装置１３またはプロジェクタ１のスイッチがオフにされるまで、上述した処理が繰り返される。
【０２２９】
ステップＳ３８１において、所定の時間内にスクリーン３２上の全ての安全カード４０１の識別情報を受信していないと判定された場合、プロジェクタ１がレーザー光を投射するべき方向（プロジェクタ１が表示させる画像がスクリーン３２内に納まる方向）に向いていない可能性があるので、ステップＳ３８４に進み、投射許可部４１２は、プロジェクタ１に光の遮断を指示する。また、プロジェクタ１は、制御装置１３から投射光の遮断が指示されると、プロジェクタ１が既に投射光を投射している場合、メカニカルシャッタなどを用いることで投射光を遮断し、まだ投射光を投射していない場合、投射光（レーザー光）を投射しない。
【０２３０】
ステップＳ３８４の処理の後、手続きは、ステップＳ３８１に戻り、制御装置１３またはプロジェクタ１のスイッチがオフにされるまで、上述した処理が繰り返される。
【０２３１】
ステップＳ３８２において、全ての安全カード４０１の現在の位置が、予め設定されている安全カード４０１とプロジェクタ１との距離の許容範囲内にないと判定された場合、プロジェクタ１はスクリーン３２の方向を向いていない可能性があるため、ステップＳ３８４に進み、投射許可部４１２は、光の遮断を指示する。
【０２３２】
なお、安全カード４０１−１乃至４０１−４のそれぞれは、図１６で示されるように、スクリーン３２上に設けられるようにしてもよいし、スクリーン３２に設けられなくても、スクリーン３２の存在する延長線上に配置されるようにしてもよい。また、安全カード４０１−１乃至４０１−４は、プロジェクタ１が画像を投射する場所であれば、スクリーン３２である必要はなく、画像を表示させる壁などに設置するようにしてもよい。
【０２３３】
また、安全カード４０１の個数は、本発明を限定するものではなく、４個以上でもよいし、１個でもよい。
【０２３４】
このように、安全カード４０１−１乃至４０１−４が存在する方向にのみ、すなわち、プロジェクタ１が強度の強い光を投射する必要のある場所（領域）にのみ、プロジェクタ１が、強度の強い光を投射することができるようにしたので、無造作にユーザがプロジェクタ１のスイッチをオンにしてしまうことで、光を投射する必要のない場所に強度の強い光が投射されることを防ぐことができる。例えば、誤って人間のいる方向に強度の強い光が投射されることを防ぐことができる。
【０２３５】
また、上述したように、制御装置１３および通信装置１４は、プロジェクタ１がスクリーン３２に画像を投射している間、継続して信号を送信する。これにより、例えば、地震などでプロジェクタ１が動いてしまう（プロジェクタ１の位置がずれてしまう）ことで、プロジェクタ１が投射するレーザー光が安全カード４０１−１乃至４０１−４の存在しない方向（スクリーン３２の存在しない方向）に投射されることを防ぐことができる。これにより、誤って、プロジェクタ１の近傍またはプロジェクタ１が投射する光の近傍にいる人間への強度の強い光の照射を防ぐことができる。
【０２３６】
なお、図１５乃至図２０を参照して説明した実施の形態においても、図１０乃至図１４を参照して説明した実施の形態のように、安全カード４０１−１乃至４０１−４のそれぞれが制御装置１３および通信装置１４に所定の信号を送信することで、制御装置１３に、安全カード４０１−１乃至４０１−４のそれぞれと制御装置１３との距離を算出させ、通信装置１４に安全カード４０１−１乃至４０１−４のそれぞれと通信装置１４との距離を算出させ、制御装置１３に安全カード４０１−１乃至４０１−４のそれぞれの位置を演算させるようにしてよい。
【０２３７】
なお、図１乃至図９、図１０乃至図１４、および図１５乃至図２０を参照して上述した実施の形態において、制御装置１３および通信装置１４は、制御装置１３が所定の信号を通信装置１４に送信することにより、制御装置１３および通信装置１４が同期し、通信装置１４が送信する基準信号および制御装置１３が送信する所定の信号が、同時に安全カード１１あてに送信されるようにしてもよい。このとき、安全カード１１または安全カード４０１は、通信装置１４が送信した基準信号に含まれる基準信号の送信時刻と安全カード１１（安全カード４０１）が基準信号を受信した受信時刻との差および安全カード１１（安全カード４０１）に予め記録されている基準信号の速度を基に、安全カード１１（安全カード４０１）と通信装置１４との距離を算出するようにしてもよい。
【０２３８】
また、このとき、安全カード１１（安全カード４０１）と制御装置１３との距離は、安全カード１１（安全カード４０１）において、通信装置１４が送信した基準信号の受信時刻と制御装置１３が送信した信号の受信信号との差および制御装置１３が送信した信号の速度を基に、算出される。
【０２３９】
上述した制御装置１３および通信装置１４は、例えば、パーソナルコンピュータなどで構成することができる。
【０２４０】
この場合、制御装置１３および通信装置１４は、例えば、図２１で示されるように構成される。CPU５０１は、ROM５０２に記憶されているプログラム、または記憶部５０８からRAM５０３にロードされたプログラムに従って各種の処理を実行する。RAM５０３にはまた、CPU５０１が各種の処理を実行する上において必要なデータなども適宜記憶される。
【０２４１】
CPU５０１、ROM５０２、およびRAM５０３は、バス５０４を介して相互に接続されている。このバス５０４にはまた、入出力インターフェース５０５も接続されている。
【０２４２】
入出力インターフェース５０５には、キーボード、マウスなどよりなる入力部５０６，CRT（Cathode Ray Tube），LCD（Liquid Crystal Display）などよりなるディスプレイ、並びにスピーカなどよりなる出力部５０７、ハードディスクなどより構成される記憶部５０８、図５で示される制御装置１３の送信部９１および受信部９３、図６で示される通信装置１４の送信部１１１、図１２で示される通信装置１４の受信部２８１および送信部２８５、並びに図１３で示される制御装置１３の受信部３０１に対応する、CDMAやUWBなどの通信方式の規格に基づき、他の装置と無線通信を行うインターフェースである通信部５０９が接続されている。
【０２４３】
また、通信部５０９は、図示せぬLAN（Local Area Network）やインターネットを介して他の装置との通信処理を行う。
【０２４４】
入出力インターフェース５０５にはまた、ドライブ５１０が接続され、磁気ディスク、光ディスク、光磁気ディスク、或いは半導体メモリなどのリムーバブルメディア５１１が適宜装着され、それらから読み出されたコンピュータプログラムが、必要に応じて記憶部５０８にインストールされる。
【０２４５】
本発明が適用される制御装置１３または通信装置１４の実施の形態は、図２１に示されるパーソナルコンピュータに限定されず、記録媒体の記録および読み出しの制御が可能な制御装置１３または通信装置１４であれば構わない。
【０２４６】
このように、安全カード４０１、制御装置１３、および通信装置１４が通信するようにした場合、データの送受信を行うことができる。情報処理装置が、通信装置から送信されてきた情報処理装置と通信装置との第１の距離を算出させるための第１の無線信号、および表示装置から送信されてきた情報処理装置と表示装置との第２の距離を算出させるための第２の無線信号を受信し、第１の無線信号を基に第１の距離を算出し、第２の無線信号を基に第２の距離を算出し、第１の距離および第２の距離を基に、情報処理装置の平面上の位置を演算し、情報処理装置の平面上の位置を示す第３の無線信号を表示装置に送信し、通信装置が、情報処理装置と通信装置との第１の距離を算出させるための第１の無線信号を情報処理装置あてに送信し、表示装置が、情報処理装置と表示装置との第２の距離を算出させるための第２の無線信号を情報処理装置あてに送信し、情報処理装置から送信されてきた、情報処理装置の平面上の位置を示す第３の無線信号を受信し、情報処理装置の平面上の位置が、光が投射される方向の許可領域内にある場合、画像を表示させる光の表示領域への投射を許可するようにした場合には、強度の強い光の投射を必要とする場所以外の場所に、光が照射されることを防ぐことができる。
【０２４７】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または各種のプログラムをインストールすることで、各種の機能を実行することが可能な、例えば汎用のパーソナルコンピュータなどに、記録媒体からインストールされる。
【０２４８】
この記録媒体は、図３で示されるリムーバブルメディア５２や図２１で示されるリムーバブルメディア５１１のように、コンピュータとは別に、ユーザにプログラムを提供するために配布される、プログラムが記録されている磁気ディスク（フレキシブルディスクを含む）、光ディスク（CD-ROM（Compact Disk Read-Only Memory），DVD（Digital Versatile Disc）を含む）、光磁気ディスク（MD（Mini Disc）（商標）を含む）、若しくは半導体メモリなどよりなるパッケージメディアにより構成されるだけでなく、コンピュータに予め組み込まれた状態でユーザに提供される、プログラムが記録されているROMもしくはハードディスクなどで構成される。
【０２４９】
なお、上述した一連の処理を実行させるプログラムは、必要に応じてルータ、モデムなどのインターフェースを介して、ローカルエリアネットワーク、インターネット、デジタル衛星放送といった、有線または無線の通信媒体を介してコンピュータにインストールされるようにしてもよい。
【０２５０】
また、本明細書において、記録媒体に格納されるプログラムを記述するステップは、記載された順序に沿って時系列的に行われる処理はもちろん、必ずしも時系列的に処理されなくても、並列的あるいは個別に実行される処理を含むものである。
【０２５１】
さらに、本明細書において、システムとは、複数の装置により構成される装置全体を指すものである。
【図面の簡単な説明】
【０２５２】
【図１】本発明に係る表示制御システムの一実施の形態の例を示す図である。
【図２】本発明に係る表示制御システムを利用した部屋における、制御装置および通信装置の配置の例を示す図である。
【図３】安全カードの構成の例を示すブロック図である。
【図４】図３の制御部が実行する位置特定プログラムの機能の構成の例を示すブロック図である。
【図５】制御装置の機能の構成の例を示すブロック図である。
【図６】通信装置の機能の構成の例を示すブロック図である。
【図７】表示制御システムの処理を説明するフローチャートである。
【図８】安全カードの現在の位置の特定方法を説明する図である。
【図９】危険エリアを説明する図である。
【図１０】本発明に係る表示制御システムの実施の形態の他の例を示す図である。
【図１１】図３の制御部が実行する信号送信プログラムの機能の構成の例を示すブロック図である。
【図１２】通信装置の機能の構成の他の例を示すブロック図である。
【図１３】制御装置の機能の構成の他の例を示すブロック図である。
【図１４】表示制御システムの処理を説明するフローチャートである。
【図１５】本発明に係る表示制御システムの実施の形態のさらに他の例を利用した部屋における、安全カード、制御装置、および通信装置の配置の例を示す図である。
【図１６】安全カードを配置したスクリーンの例を示す図である。
【図１７】制御装置の機能の構成の他の例を示す図である。
【図１８】通信装置による信号の送信の処理、制御装置による位置を示す情報および識別情報の受信の処理、並びに安全カードによる位置特定の処理を説明するフローチャートである。
【図１９】安全カードの位置の特定方法を説明する図である。
【図２０】投射の許可の処理を説明するフローチャートである。
【図２１】制御装置および通信装置の構成の例を示すブロック図である。
【符号の説明】
【０２５３】
１  プロジェクタ，  １１  安全カード，  １３  制御装置，  １４  通信装置，  ３２  スクリーン，  ４１  制御部，  ４２  ROM，  ４４  受信部，  ４５  送信部，  ４６  クロックジェネレータ，  ４７  GPS受信部，  ５２  リムーバブルメディア，  ６１  位置特定プログラム，  ７２  距離算出部，  ７３  位置演算部，  ９１  送信部，  ９３  受信部，  ９５  識別情報判定部，  ９６  エリア判定部，  ９７  低減指示部，  １１１  送信部，  １５１  距離，  １５２  距離，  １７１  危険エリア，  １７２  危険エリア，  ２５１  信号送信プログラム，  ２８１  受信部，  ２８３  距離算出部，  ２８５  送信部，  ３０１  受信部，  ３０３  距離算出部，  ３０４  位置演算部，  ４０１並びに４０１−１乃至４０１−４  安全カード，  ４１１  判定部，  ４１２  投射許可部，  ４２１  距離，  ４２２  距離，  ５０１  CPU，  ５０２  ROM，  ５１１  リムーバブルメディア
【図１】
2006078971.tif 000003
【図２】
2006078971.tif 000004
【図３】
2006078971.tif 000005
【図４】
2006078971.tif 000006
【図５】
2006078971.tif 000007
【図６】
2006078971.tif 000008
【図７】
2006078971.tif 000009
【図８】
2006078971.tif 000010
【図９】
2006078971.tif 000011
【図１０】
2006078971.tif 000012
【図１１】
2006078971.tif 000013
【図１２】
2006078971.tif 000014
【図１３】
2006078971.tif 000015
【図１４】
2006078971.tif 000016
【図１５】
2006078971.tif 000017
【図１６】
2006078971.tif 000018
【図１７】
2006078971.tif 000019
【図１８】
2006078971.tif 000020
【図１９】
2006078971.tif 000021
【図２０】
2006078971.tif 000022
【図２１】
2006078971.tif 000023